(57)【要約】  本願は、Ｍ個の基地局のクロック状態を検出するために、通信技術の分野に適用される、クロック状態検出方法及び機器を提供する。前記方法は、Ｍ個の基地局の検出結果を受信するステップであって、前記Ｍ個の基地局の各々の前記検出結果は、前記基地局が前記基地局のＮ個の近隣局の各々により送信された検出シーケンスを受信したか否かを示すために使用され、前記Ｎ個の近隣局は前記Ｍ個の基地局に属し、Ｍ及びＮは両方とも１以上の整数であり、ＮはＭより小さい、ステップと、前記Ｍ個の基地局の前記検出結果に基づき、前記Ｍ個の基地局のクロック状態を決定するステップと、を含む。
2021532688.tif 000002
【特許請求の範囲】
【請求項１】
クロック状態検出方法であって、前記方法は、
Ｍ個の基地局の検出結果を受信するステップであって、前記Ｍ個の基地局の各々の前記検出結果は、前記基地局が前記基地局のＮ個の近隣局の各々により送信された検出シーケンスを受信したか否かを示すために使用され、前記Ｎ個の近隣局は前記Ｍ個の基地局に属し、Ｍ及びＮは両方とも１以上の整数であり、ＮはＭより小さい、ステップと、
前記Ｍ個の基地局の前記検出結果に基づき、前記Ｍ個の基地局のクロック状態を決定するステップと、
を含む方法。
【請求項２】
前記方法は、
前記Ｍ個の基地局の各々に指示情報の１ピースを送信するステップであって、前記指示情報は、前記基地局に、前記基地局の前記Ｎ個の近隣局が前記検出シーケンスを送信するＮ個の第１時点を示すために使用され、前記Ｎ個の近隣局の各々について、前記基地局が、前記近隣局が前記検出シーケンスを送信する前記第１時点で前記検出シーケンスを検出すると、前記基地局は前記近隣局から前記検出シーケンスを受信する、ステップ、を更に含む請求項１に記載の方法。
【請求項３】
前記第１時点は、第１特別サブフレームである、請求項２に記載の方法。
【請求項４】
前記指示情報は、前記基地局が検出シーケンスを送信する第２時点を示すために更に使用される、請求項２又は３に記載の方法。
【請求項５】
前記Ｍ個の基地局の中で同じ近隣局を有しない少なくとも２つの基地局の第２時点は同じである、請求項４に記載の方法。
【請求項６】
前記第２時点は、第２特別サブフレームである、請求項４又は５に記載の方法。
【請求項７】
前記Ｍ個の基地局の時分割復信ＴＤＤ構成は同じである、請求項１〜６のいずれか一項に記載の方法。
【請求項８】
前記Ｍ個の基地局の各々の前記検出結果は、前記基地局により、前記基地局の前記Ｎ個の近隣局の各々により送信された前記検出シーケンスを受信する際の遅延を示すために更に使用される、請求項１〜７のいずれか一項に記載の方法。
【請求項９】
前記Ｍ個の基地局の各々のアップリンクは、前記基地局の前記Ｎ個の近隣局のダウンリンクにより干渉されない、請求項１〜８のいずれか一項に記載の方法。
【請求項１０】
前記Ｍ個の基地局の前記検出結果に基づき、前記Ｍ個の基地局のクロック状態を決定する前記ステップは、
前記Ｍ個の基地局の前記検出結果に基づき、前記Ｍ個の基地局を少なくとも１つのグループにグループ化するステップであって、前記少なくとも１つのグループの各々について、前記グループが少なくとも２つの基地局を含む場合、前記グループの中の各基地局は、前記グループの中の少なくとも１つの他の基地局により送信された検出シーケンスを受信するか、又は前記グループの中の各基地局により送信された検出シーケンスは、前記グループの中の少なくとも１つの他の基地局により受信され、前記グループが１つの基地局を含む場合、前記１つの基地局は、前記１つの基地局の各近隣局により送信された検出シーケンスを受信しないか、又は前記１つの基地局により送信された検出シーケンスは前記１つの基地局のいずれの近隣局によっても受信されない、ステップと、
前記少なくとも１つのグループの中で、所定の閾値より多い又は等しい数の基地局を含むグループを、同期グループとして決定するか、又は前記少なくとも１つのグループの中の全部のグループに含まれる基地局の数が前記閾値より少ないとき、前記少なくとも１つのグループの中で、最大数の基地局を含むグループを、前記同期グループとして決定するステップであって、前記同期グループの中の各基地局のクロック状態は同期状態である、ステップと、
を含む、請求項１〜９のいずれか一項に記載の方法。
【請求項１１】
前記Ｍ個の基地局の前記検出結果に基づき、前記Ｍ個の基地局のクロック状態を決定する前記ステップは、
同期外れ条件に基づき、前記同期グループ以外の同期外れグループが、前記少なくとも１つのグループの中に存在するか否かを決定するステップであって、前記同期外れグループの中の各基地局のクロック状態は、同期外れ状態である、ステップを更に含む、請求項１０に記載の方法。
【請求項１２】
同期外れ条件に基づき、前記同期グループ以外の同期外れグループが前記少なくとも１つのグループの中に存在するか否かを決定する前記ステップは、
前記少なくとも１つのグループの中の前記同期グループ以外の任意のグループについて、前記グループの中の１つの基地局が前記同期外れ条件を満たす場合、前記グループは同期外れグループであり、前記同期外れ条件は、以下の条件：
１）前記１つの基地局のクロックシステム調整値が、所定の調整閾値より大きい、
２）前記１つの基地局がクロックアラームを発する、又は、
３）前記１つの基地局の近隣局への同期外れ干渉が、所定の干渉閾値より大きく、前記１つの基地局が休止した後に、前記１つの基地局の前記近隣局への前記同期外れ干渉が消失するか、又は、前記１つの基地局への同期外れ干渉が、所定の干渉閾値より大きく、前記１つの基地局の近隣局が休止した後に、前記１つの基地局への前記同期外れ干渉が消失する、
のうちの１つ以上を含む、ステップを含む、請求項１１に記載の方法。
【請求項１３】
前記グループが少なくとも２個の基地局を含む場合、前記同期外れ条件は、
４）前記複数の基地局が、同じクロック装置からクロック信号を取得する、
を更に含む、請求項１２に記載の方法。
【請求項１４】
前記方法は、
同じクロック源の全部の基地局が、クロック状態が前記同期外れ状態である基地局である場合、前記クロック源が故障していると決定するステップ、
同じ伝送装置によりサービスされる全部の基地局が、クロック状態が前記同期外れ状態である基地局である場合、前記伝送装置が故障していると決定するステップ、又は、
同じ伝送装置によりサービスされる幾つかの基地局が全部、クロック状態が前記同期外れ状態である基地局である場合、前記幾つかの基地局が故障している、若しくは前記幾つかの基地局に接続された前記伝送装置のポートが故障していると決定するステップ、
を更に含む請求項１０〜１３のいずれか一項に記載の方法。
【請求項１５】
クロック状態検出方法であって、前記方法は、
基地局により、指示情報を受信するステップであって、前記指示情報は、前記基地局のＮ個の近隣局が検出シーケンスを順に送信するＮ個の第１時点を示すために使用され、Ｎは１以上の整数である、ステップと、
前記基地局により、前記Ｎ個の第１時点で前記検出シーケンスを検出するステップであって、前記Ｎ個の近隣局の各々について、前記基地局が、前記近隣局が前記検出シーケンスを送信した前記第１時点で前記検出シーケンスを検出すると、前記基地局は、前記近隣局からの前記検出シーケンスが受信されたと決定する、ステップと、
前記基地局により、検出結果を送信するステップであって、前記検出結果は、前記基地局が、前記基地局のクロック状態を決定するために、前記Ｎ個の近隣局の各々により送信された前記検出シーケンスを受信したか否かを示すために使用される、ステップと、
を含む方法。
【請求項１６】
前記第１時点は、第１特別サブフレームである、請求項１５に記載の方法。
【請求項１７】
前記第１指示情報は、前記基地局が検出シーケンスを送信する第２時点を示すために更に使用され、
前記基地局は、前記第２時点で前記検出シーケンスを送信する、請求項１５又は１６に記載の方法。
【請求項１８】
前記第２時点は、第２特別サブフレームである、請求項１７に記載の方法。
【請求項１９】
前記基地局及び前記Ｎ個の近隣局の時分割復信ＴＤＤ構成は同じである、請求項１５〜１８のいずれか一項に記載の方法。
【請求項２０】
基地局により、指示情報を受信する前記ステップの前に、前記基地局のアップリンクは、前記基地局の前記Ｎ個の近隣局のダウンリンクにより干渉されない、請求項１５〜１９のいずれか一項に記載の方法。
【請求項２１】
機器であって、メモリとプロセッサとを含み、前記メモリは、コンピュータプログラムを格納するよう構成され、前記プロセッサは、前記メモリから前記コンピュータプログラムを呼び出し、前記コンピュータプログラムを実行して、請求項１〜２０のいずれか一項に記載の方法を実行するよう構成される、機器。
【請求項２２】
プログラムを格納したコンピュータ記憶媒体であって、前記プログラムは、請求項１〜２０のいずれか一項に記載の方法を実施するために構成される、コンピュータ記憶媒体。
【発明の詳細な説明】
【技術分野】
【０００１】
本願は、参照により全体がここに組み込まれる、中国特許出願番号２０１８１０８７８５８６．Ｘ号、中国国家知識産権局に２０１８年８月３日に出願、名称「CLOCKSTATEDETECTIONMETHODANDAPPARATUS」の優先権を主張する。
【０００２】
本願は、通信技術の分野に関し、特に、クロック状態検出方法及び機器に関する。
【背景技術】
【０００３】
時分割復信（time  division  duplex,  TDD）システムは、同期を保つために基地局のクロックを厳格に要求するシステムである。基地局のクロックが別の基地局のクロックと同期されていない場合、例えば、同期外れ又は深刻な偏差が生じた場合、基地局のダウンリンクデータは別の基地局のアップリンクデータと干渉することがあり、別の基地局のダウンリンクデータも基地局のアップリンクデータと干渉することがある。結果として、サービス経験が深刻に影響を受ける。外部クロック源の故障又は基地局の内部クロックシステムの故障は、基地局のクロック状態を、同期から同期外れ又は偏差へと変化させ得る。基地局のクロック状態をどのように決定するかは、解決されるべき緊急の問題になっている。
【発明の概要】
【０００４】
本願は、基地局のクロック状態を検出するために、クロック状態検出方法及び機器を提供する。
【０００５】
第１の態様によると、本願は、クロック状態検出方法を提供する。前記方法は、Ｍ個の基地局の検出結果を受信するステップであって、前記Ｍ個の基地局の各々の前記検出結果は、前記基地局が前記基地局のＮ個の近隣局の各々により送信された検出シーケンスを受信したか否かを示すために使用され、前記Ｎ個の近隣局は前記Ｍ個の基地局に属し、Ｍ及びＮは両方とも１以上の整数であり、ＮはＭより小さい、ステップと、前記Ｍ個の基地局の前記検出結果に基づき、前記Ｍ個の基地局のクロック状態を決定するステップと、を含む。
【０００６】
本願で提供される前記方法によると、ネットワーク全体に渡る前記Ｍ個の基地局の前記クロック状態が分析され得る。更に、前記Ｍ個の基地局の前記クロック状態は、前記Ｍ個の基地局の間でクロック同期外れによる相互干渉が生じる前に、検出されてよく、トラブルシューティング、警告、及び事前調整を実行する前に、ネットワーク全体に渡る前記Ｍ個の基地局の前記クロック状態を識別し、それにより、前記基地局のサービスの正常な実行及びＵＥのユーザ経験を保証する。更に、本願で提供される前記方法によると、前記ネットワーク全体に渡る前記Ｍ個の基地局の前記クロック状態は、比較的短時間のうちに分析を通じて取得されてよく、その結果、干渉を受けた基地局のクロック状態を１つずつ個別に決定する必要がなく、それにより、前記基地局の前記クロック状態を監視する効率を向上する。
【０００７】
任意的に、前記方法は、前記Ｍ個の基地局の各々に指示情報の１ピースを送信するステップであって、前記指示情報は、前記基地局に、前記基地局の前記Ｎ個の近隣局が前記検出シーケンスを送信するＮ個の第１時点を示すために使用され、前記Ｎ個の近隣局の各々について、前記基地局が、前記近隣局が前記検出シーケンスを送信する前記第１時点で前記検出シーケンスを検出すると、前記基地局は前記近隣局から前記検出シーケンスを受信する、ステップ、を更に含む。
【０００８】
任意的に、前記Ｍ個の基地局の各々のアップリンクは、前記基地局の前記Ｎ個の近隣局のダウンリンクにより干渉されない。
【０００９】
この任意的実装では、各基地局のクロック状態は、前記基地局が干渉を受け、トラブルシューティングを実行し、警告し、及び事前調整を実行する前に、予め検出でき、それにより、前記基地局のサービスの正常な実行を保証する。
【００１０】
任意的に、前記Ｍ個の基地局の前記検出結果に基づき、前記Ｍ個の基地局のクロック状態を決定する前記ステップは、
前記Ｍ個の基地局の前記検出結果に基づき、前記Ｍ個の基地局を少なくとも１つのグループにグループ化するステップであって、前記少なくとも１つのグループの各々について、前記グループが少なくとも２つの基地局を含む場合、前記グループの中の各基地局は、前記グループの中の少なくとも１つの他の基地局により送信された検出シーケンスを受信するか、又は前記グループの中の各基地局により送信された検出シーケンスは、前記グループの中の少なくとも１つの他の基地局により受信され、前記グループが１つの基地局を含む場合、前記１つの基地局は、前記１つの基地局の各近隣局により送信された検出シーケンスを受信しないか、又は前記１つの基地局により送信された検出シーケンスは前記１つの基地局のいずれの近隣局によっても受信されない、ステップと、
前記少なくとも１つのグループの中で、所定の閾値より多い又は等しい数の基地局を含むグループを、同期グループとして決定するか、又は前記少なくとも１つのグループの各々に含まれる基地局の数が前記閾値より少ないとき、前記少なくとも１つのグループの中で、最大数の基地局を含むグループを、前記同期グループとして決定するステップであって、前記同期グループの中の各基地局のクロック状態は同期状態である、ステップと、を含む。
【００１１】
任意的に、前記Ｍ個の基地局の前記検出結果に基づき、前記Ｍ個の基地局のクロック状態を決定する前記ステップは、
同期外れ条件に基づき、前記同期グループ以外の同期外れグループが、前記少なくとも１つのグループの中に存在するか否かを決定するステップであって、前記同期外れグループの中の各基地局のクロック状態は、同期外れ状態である、ステップを更に含む。
【００１２】
任意的に、同期外れ条件に基づき、前記少なくとも１つのグループの中に、前記同期グループ以外の同期外れグループが存在するか否かを決定する前記ステップは、前記少なくとも１つのグループの中の前記同期グループ以外の任意のグループについて、前記グループの中の１つの基地局が前記同期外れ条件を満たす場合、前記グループが同期外れグループである、ことを含む。
【００１３】
この任意的実装では、クロック状態が前記同期外れ状態である１つ以上の基地局が検出でき、故障した基地局及び故障したクロック源を特定し、適時に保守を実行し、それにより、前記基地局のサービスの正常な実行を保証し、及び前記ＵＥのユーザ経験を保証する。
【００１４】
第２の態様によると、本願は、クロック状態検出方法を提供する。方法は、以下を含む：基地局は、指示情報を受信し、前記指示情報は、前記基地局のＮ個の近隣局が検出シーケンスを連続して送信するＮ個の第１時点を示すために使用され、Ｎは１以上の整数であり、
前記基地局は、前記Ｎ個の第１時点で前記検出シーケンスを検出し、前記Ｎ個の近隣局の各々について、前記基地局が、前記近隣局が前記検出シーケンスを送信した前記第１時点で前記検出シーケンスを検出すると、前記基地局は、前記近隣局からの前記検出シーケンスが受信されたと決定し、
前記基地局は、検出結果を送信し、前記検出結果は、前記基地局が、前記基地局のクロック状態を決定するために、前記Ｎ個の近隣局の各々により送信された前記検出シーケンスを受信したか否かを示すために使用される。
【００１５】
本願で提供される前記方法によると、Ｍ個の基地局の各々は、前記検出結果を取得するために、前記指示情報の制御下で前記基地局の前記Ｎ個の近隣局の各々から前記検出シーケンスを検出する。この方法では、ネットワーク全体に渡る前記Ｍ個の基地局の前記クロック状態が分析できる。更に、前記Ｍ個の基地局の前記クロック状態は、前記Ｍ個の基地局の間でクロック同期外れによる相互干渉が生じる前に、検出されてよく、トラブルシューティング、警告、及び事前調整を実行する前に、ネットワーク全体に渡る前記Ｍ個の基地局の前記クロック状態を識別し、それにより、前記基地局のサービスの正常な実行及びＵＥのユーザ経験を保証する。更に、本願で提供される前記方法によると、前記ネットワーク全体に渡る前記Ｍ個の基地局の前記クロック状態は、比較的短時間のうちに分析を通じて取得されてよく、その結果、干渉を受けた基地局のクロック状態を１つずつ個別に決定する必要がなく、それにより、前記基地局の前記クロック状態を監視する効率を向上する。
【００１６】
任意的に、前記指示情報は、前記基地局が検出シーケンスを送信する第２時点を示すために更に使用され、前記基地局は、前記第２時点で前記検出シーケンスを送信する。
【００１７】
第３の態様によると、本願の一実施形態は、機器を提供する。前記機器は、ネットワーク装置、ネットワーク装置内のチップ、基地局、又は基地局内のチップであってよい。前記機器は、第１の態様による方法を実施する機能を有する。該機能は、ハードウェアにより実装されてよく、又は対応するソフトウェアを実行するハードウェアにより実装されてよい。前記ハードウェア又は前記ソフトウェアは、前述の機能に対応する１つ以上のモジュールを含む。前記機器は、処理ユニットと通信ユニットとを含む。任意で、前記機器は、記憶ユニットを更に含んでよい。前記処理ユニットは、前記通信ユニットを使用して情報を受信し又は送信してよく、前記処理ユニットは、前記情報を処理してよい。その結果、前記機器は第１の態様による方法を実施する。
【００１８】
前記処理ユニットは、前記通信ユニットを用いてＭ個の基地局の検出結果を受信し、前記Ｍ個の基地局の前記検出結果に基づき、前記Ｍ個の基地局のクロック状態を決定するよう構成される。前記Ｍ個の基地局の各々の前記検出結果は、前記基地局が、前記基地局の前記Ｎ個の近隣局の各々により送信された前記検出シーケンスを受信したか否かを示すために使用される。前記Ｎ個の近隣局は、前記Ｍ個の基地局に属する。Ｍ及びＮは両方とも１以上であり、ＮはＭより小さい。
【００１９】
任意的に、前記処理ユニットは、前記通信ユニットを用いて前記Ｍ個の基地局の各々へ指示情報の１ピースを送信するよう更に構成される。前記指示情報は、前記基地局に、前記基地局の前記Ｎ個の近隣局が前記検出シーケンスを送信するＮ個の第１時点を示すために使用される。前記Ｎ個の近隣局の各々について、前記基地局は、前記近隣局が前記検出シーケンスを送信した前記第１時点で、前記検出シーケンスを検出すると、前記基地局は、前記近隣局から前記検出シーケンスを受信する。
【００２０】
任意的に、前記処理ユニットが、前記Ｍ個の基地局の前記検出結果に基づき、前記Ｍ個の基地局のクロック状態を決定するよう構成されることは、具体的に、
前記Ｍ個の基地局の前記検出結果に基づき、前記Ｍ個の基地局を少なくとも１つのグループにグループ化し、前記少なくとも１つのグループの各々について、前記グループが少なくとも２つの基地局を含む場合、前記グループの中の各基地局は、前記グループの中の少なくとも１つの他の基地局により送信された検出シーケンスを受信するか、又は前記グループの中の各基地局により送信された検出シーケンスは、前記グループの中の少なくとも１つの他の基地局により受信され、前記グループが１つの基地局を含む場合、前記１つの基地局は、前記１つの基地局の各近隣局により送信された検出シーケンスを受信しないか、又は前記１つの基地局により送信された検出シーケンスは前記１つの基地局のいずれの近隣局によっても受信されないことと、
前記少なくとも１つのグループの中で、所定の閾値より多い又は等しい数の基地局を含むグループを、同期グループとして決定するか、又は前記少なくとも１つのグループの各々に含まれる基地局の数が前記閾値より少ないとき、前記少なくとも１つのグループの中で、最大数の基地局を含むグループを、前記同期グループとして決定し、前記同期グループの中の各基地局のクロック状態は同期状態である、ことと、を含む。
【００２１】
任意的に、前記処理ユニットが、前記Ｍ個の基地局の前記検出結果に基づき、前記Ｍ個の基地局のクロック状態を決定するよう構成されることは、
同期外れ条件に基づき、前記同期グループ以外の同期外れグループが、前記少なくとも１つのグループの中に存在するか否かを決定するステップであって、前記同期外れグループの中の各基地局のクロック状態は、同期外れ状態である、ことを更に含む。
【００２２】
任意的に、前記処理ユニットが、同期外れ条件に基づき、前記少なくとも１つのグループの中に、前記同期グループ以外の同期外れグループが存在するか否かを決定するよう構成されることは、具体的に、前記少なくとも１つのグループの中の前記同期グループ以外の任意のグループについて、前記グループの中の１つの基地局が前記同期外れ条件を満たす場合、前記グループが同期外れグループである、ことを含む。
【００２３】
任意的に、前記処理ユニットは、
同じクロック源の全部の基地局が、クロック状態が前記同期外れ状態である基地局である場合、前記クロック源が故障していると決定し、
同じ送信装置によりサービスされる全部の基地局が、クロック状態が前記同期外れ状態である基地局である場合、前記送信装置が故障していると決定し、又は、
同じ送信装置によりサービスされる幾つかの基地局が全部、クロック状態が前記同期外れ状態である基地局である場合、前記幾つかの基地局が故障している、若しくは前記幾つかの基地局に接続された前記送信装置のポートが故障していると決定する、よう更に構成される。
【００２４】
任意的設計では、前記機器はネットワーク装置であり、前記処理ユニットは、例えばプロセッサであってよく、前記通信ユニットは、例えばネットワークインタフェースであってよい。任意的に、前記ネットワーク装置は、記憶ユニットを更に含んでよく、前記記憶ユニットは例えばメモリであってよい。前記ネットワーク装置が前記記憶ユニットを含むとき、前記記憶ユニットは、コンピュータ実行可能命令を格納するよう構成される。前記処理ユニットは、前記記憶ユニットに接続される。前記処理ユニットは、前記記憶ユニットに格納された前記コンピュータ実行可能命令を実行し、その結果、前記ネットワーク装置は、第１の態様による方法を実行する。
【００２５】
任意的設計では、前記機器は基地局であり、前記処理ユニットは、例えばプロセッサであってよく、前記通信ユニットは、例えばアンテナ、トランシーバ、及びネットワークインタフェースを含んでよい。任意的に、前記基地局は、記憶ユニットを更に含み、前記記憶ユニットは例えばメモリであってよい。前記基地局が前記記憶ユニットを含むとき、前記記憶ユニットは、コンピュータ実行可能命令を格納するよう構成される。前記処理ユニットは、前記記憶ユニットに接続される。前記処理ユニットは、前記記憶ユニットに格納された前記コンピュータ実行可能命令を実行し、その結果、前記基地局は、第１の態様による方法を実行する。
【００２６】
別の可能な設計では、前記機器はネットワーク装置内のチップ又は基地局内のチップであり、前記処理ユニットは、例えばプロセッサであってよく、前記通信ユニットは、例えば入力／出力インタフェース、ピン、又は回路であってよい。処理ユニットは、記憶ユニットに格納されたコンピュータ実行可能命令を実行してよく、その結果、前記チップは、第１の態様又は第１の態様の可能な実装のうちのいずれか１つによるクロック状態検出方法を実行する。任意的に、記憶ユニットは、チップ内の記憶ユニット、例えばレジスタ又はキャッシュである。或いは、記憶ユニットは、基地局内にあるがチップの外部にある記憶ユニット、例えば読み出し専用メモリ（read−only  memory,  ROM）又は静的情報及び命令を格納する能力のある別の種類の静的記憶装置、又はランダムアクセスメモリ（random  access  memory,  RAM）であってよい。
【００２７】
本願で提供される前記機器の技術的効果については、第１の態様又は第１の態様の実装の技術的効果を参照する。詳細はここで再び記載されない。
【００２８】
第４の態様によると、本願の一実施形態は、機器を提供する。前記機器は基地局であってよく、又は前記機器は基地局内のチップであってよい。前記機器は、第２の態様による方法を実施する機能を有する。該機能は、ハードウェアにより実装されてよく、又は対応するソフトウェアを実行するハードウェアにより実装されてよい。前記ハードウェア又は前記ソフトウェアは、前述の機能に対応する１つ以上のモジュールを含む。前記機器は、処理ユニットと通信ユニットとを含む。任意で、前記機器は、記憶ユニットを更に含んでよい。前記処理ユニットは、前記通信ユニットを使用して情報を受信し又は送信してよく、前記処理ユニットは、前記情報を処理してよい。その結果、前記機器は第２の態様による方法を実施する。
【００２９】
前記処理ユニットは、前記通信ユニットを使用して指示情報を受信するよう構成される。前記指示情報は、前記基地局の前記Ｎ個の近隣局が前記検出シーケンスを続けて送信するＮ個の第１時点を示すために使用される。Ｎは、１以上の整数である。
【００３０】
前記処理ユニットは、前記Ｎ個の第１時点で前記検出シーケンス」を検出するよう更に構成される。前記Ｎ個の近隣局の各々について、前記基地局は、前記近隣局が前記検出シーケンスを送信した前記第１時点で、前記検出シーケンスを検出すると、前記基地局は、前記近隣局から前記検出シーケンスが受信されることを決定する。
【００３１】
前記処理ユニットは、前記通信ユニットを使用して検出結果を送信するよう更に構成され、前記検出結果は、前記基地局のクロック状態を決定するために、前記基地局が、前記Ｎ個の近隣局の各々により送信された前記検出シーケンスを受信したか否かを示すために使用される。
【００３２】
任意的に、前記第１指示情報は、前記基地局が検出シーケンスを送信する第２時点を示すために更に使用される。前記処理ユニットは、前記通信ユニットを使用して、前記第２時点で前記検出シーケンスを送信するよう更に構成される。
【００３３】
任意的設計では、前記機器は基地局であり、前記処理ユニットは、例えばプロセッサであってよく、前記通信ユニットは、例えばアンテナ、トランシーバ、及びネットワークインタフェースを含んでよい。任意的に、前記基地局は、記憶ユニットを更に含み、前記記憶ユニットは例えばメモリであってよい。前記基地局が前記記憶ユニットを含むとき、前記記憶ユニットは、コンピュータ実行可能命令を格納するよう構成される。前記処理ユニットは、前記記憶ユニットに接続される。前記処理ユニットは、前記記憶ユニットに格納された前記コンピュータ実行可能命令を実行し、その結果、前記基地局は、第１の態様による方法を実行する。
【００３４】
別の可能な設計では、前記機器は基地局内のチップであり、前記処理ユニットは、例えばプロセッサであってよく、前記通信ユニットは、例えば入力／出力インタフェース、ピン、又は回路であってよい。前記処理ユニットは、前記記憶ユニットに格納された前記コンピュータ実行可能命令を実行でき、その結果、前記基地局内の前記チップは、第２の態様による方法を実行する。任意的に、記憶ユニットは、チップ内の記憶ユニット、例えばレジスタ又はキャッシュである。或いは、記憶ユニットは、基地局内にあるがチップの外部にある記憶ユニット、例えば読み出し専用メモリ（read−only  memory,  ROM）又は静的情報及び命令を格納する能力のある別の種類の静的記憶装置、又はランダムアクセスメモリ（random  access  memory,  RAM）であってよい。
【００３５】
本願で提供される前記機器の技術的効果については、第２の態様又は第２の態様の実装の技術的効果を参照する。詳細はここで再び記載されない。
【００３６】
上述のプロセッサは、汎用中央処理ユニット（central  processing  unit,  CPU）、マイクロプロセッサ、特定用途向け集積回路（application−specific  integrated  circuit,  ASIC）、又は第２の態様による方法のプログラム実行を制御するよう構成される１つ以上の集積回路であってよい。
【００３７】
第１の態様〜第４の態様のいずれか１つに基づき、任意的に、前記第１時点は第１特別サブフレームである。
【００３８】
任意的に、前記指示情報は、前記基地局が前記検出シーケンスを送信する前記第２時点を示すために更に使用される。
【００３９】
任意的に、前記第２時点は第２特別サブフレームである。
【００４０】
本例では、前記基地局の近隣局は、特別サブフレームの中で検出シーケンスを送信し、前記基地局は、前記特別サブフレームの中で前記検出シーケンスを検出する。その結果、前記基地局のアップリンク及びダウンリンクサービスに影響を与えることなく、前記Ｍ個の基地局の前記クロック状態を分析するために、無線インタフェース検出が達成できる。
【００４１】
第１の態様及び第３の態様のいずれかに基づき、任意的に、前記Ｍ個の基地局の中で同じ近隣局を有しない少なくとも２つの基地局の第２時点は同じである。
【００４２】
同じ近隣局を有しない前記少なくとも２つの基地局の前記第２時点は、同じにされ、それにより、前記Ｍ個の基地局による前記検出シーケンスの送信のための時間を削減し、検出効率を向上する。
【００４３】
任意的に、前記Ｍ個の基地局の時分割復信ＴＤＤ構成は同じである。
【００４４】
前記Ｍ個の基地局の前記ＴＤＤ構成は同じに設定される。従って、１つのサブフレームについて、前記Ｍ個の基地局のアップリンク−ダウンリンク構成は同じであり、前記Ｍ個の基地局は、統一された方法で保護期間（guard  interval,  GP）の中で検出シーケンスを受信し及び送信してよい。それにより、前記Ｍ個の基地局のアップリンク及びダウンリンクデータ送信への影響を回避する。
【００４５】
任意的に、前記Ｍ個の基地局の各々の前記検出結果は、前記基地局により、前記基地局の前記Ｎ個の近隣局の各々により送信された前記検出シーケンスを受信する際の遅延を示すために更に使用される。
【００４６】
前記検出結果の中で示される前記遅延に基づき、同期外れ状態にある前記基地局の間に基地局間偏差が存在するか否か、及び偏差レベルが、分析され得る。
【００４７】
任意的に、前記Ｍ個の基地局の各々の前記アップリンクは、前記基地局の前記Ｎ個の近隣局の前記ダウンリンクにより干渉されない。
【００４８】
任意的に、前記同期外れ条件は、以下の条件：
前記１つの基地局のクロックシステム調整値が、所定の調整閾値より大きい、
前記１つの基地局がクロックアラームを発する、又は、
前記１つの基地局の近隣局への同期外れ干渉が、所定の干渉閾値より大きく、前記１つの基地局が休止した後に、前記１つの基地局の前記近隣局への前記同期外れ干渉が消失するか、又は、前記１つの基地局への同期外れ干渉が、所定の干渉閾値より大きく、前記１つの基地局の近隣局が休止した後に、前記１つの基地局への前記同期外れ干渉が消失する、
のうちの１つ以上を含む。
【００４９】
任意的に、前記グループが少なくとも２個の基地局を含む場合、前記同期外れ条件は、
前記複数の基地局が、同じクロック装置からクロック信号を取得する、を更に含む。
【００５０】
任意的に、Ｍは１００より大きい。
【００５１】
Ｍの値が比較的大きい、例えばＭは１００より大きいとき、前記Ｍ個の基地局の前記クロック状態を正確に決定するために、前記Ｍ個の検出結果に基づき、ビッグデータ分析が実行されてよい。
【００５２】
第２の態様及び第４の態様のいずれかに基づき、任意的に、前記指示情報が受信される前に、前記基地局のアップリンクは、前記基地局の前記Ｎ個の近隣局のダウンリンクにより干渉されない。
【００５３】
任意的に、前記基地局及び前記Ｎ個の近隣局の時分割復信ＴＤＤ構成は同じである。
【００５４】
第５の態様によると、本願の実施形態は、コンピュータ記憶媒体を提供する。前記コンピュータ記憶媒体は、第１の態様による方法を実施するよう構成されるプログラムを格納する。前記プログラムが前記機器で実行されると、前記機器は第１の態様による方法を実行する。
【００５５】
第６の態様によると、本願の実施形態は、コンピュータ記憶媒体を提供する。前記コンピュータ記憶媒体は、第２の態様による方法を実施するよう構成されるプログラムを格納する。前記プログラムが前記機器で実行されると、前記機器は第２の態様による方法を実行する。
【００５６】
第７の態様によると、本願の実施形態は、コンピュータプログラムプロダクトを提供する。前記プログラムプロダクトはプログラムを含み、前記プログラムが実行されると、第１の態様による方法が実行される。
【００５７】
第８の態様によると、本願の実施形態は、コンピュータプログラムプロダクトを提供する。前記プログラムプロダクトはプログラムを含み、前記プログラムが実行されると、第２の態様による方法が実行される。
【００５８】
第９の態様によると、本願は、通信システムであって、第３の態様による機器と第４の態様による機器とを含む通信システムを提供する。
【００５９】
任意的に、前記通信システムは、第４の態様によるＭ個の機器を含む。
【図面の簡単な説明】
【００６０】
【図１】本願による通信システムの概略図である。
【００６１】
【図２】本願による基地局の概略構造図である。
【００６２】
【図３】本願によるネットワーク装置の概略構造図である。
【００６３】
【図４】本願によるクロック状態検出方法の概略フローチャートである。
【００６４】
【図５】本願によるクロック状態検出方法の実施形態の概略フローチャートである。
【００６５】
【図６】本願による受信遅延検出の概略図である。
【００６６】
【図７】本願による指示情報を送信する概略図である。
【００６７】
【図８】本願による基地局により検出シーケンスを送信するメカニズムの概略図である。
【００６８】
【図９】本願による領域分割の概略図である。
【００６９】
【図１０】本願による干渉検出の概略図である。
【００７０】
【図１１】本願によるグループ化アルゴリズムの概略フローチャートである。
【００７１】
【図１２】本願によるクロック状態検出方法の別の実施形態の概略フローチャートである。
【００７２】
【図１３】本願によるクロック状態検出方法の更に別の実施形態の概略フローチャートである。
【００７３】
【図１４】本願によるクロック状態検出方法の更に別の実施形態の概略フローチャートである
【００７４】
【図１５】本願による機器の概略構造図である。
【発明を実施するための形態】
【００７５】
第一に、「第１」、「第２」、又は「第３」のような序数が本願で言及されるとき、文脈に基づき序数が確実に順序を表さない限り、序数は単に区別のために使用されることが理解されるべきである。
【００７６】
第二に、本願において提供される技術的ソリューションは、図１に示される通信システムで使用される。通信システムはＭ個の基地局を含む。データは、無線インタフェースを通じてＭ個の基地局の間で送信されてよい。Ｍは１より大きい。Ｍ個の基地局の各々は、Ｍ個の基地局の中の少なくとも１つの近隣局を有する。例えば、図１に示すように、Ｍ個の基地局は、基地局１、基地局２、基地局３、基地局４、．．．及び基地局Ｍを含む。例えば、基地局１は、２つの近隣局：基地局２及び基地局３を有する。基地局２は、１つの近隣局：基地局１を有する。基地局３は、２つの近隣局：基地局１及び基地局４を有する。基地局４は、１つの近隣局：基地局３を有する。
【００７７】
任意的に、通信システムは、第１ネットワーク装置及び第２ネットワーク装置を更に含んでよい。任意的に、第１ネットワーク装置は、Ｋ個の基地局に個別に接続される。任意的に、第２ネットワーク装置は、Ｋ個の基地局に個別に接続される。任意的に、第１ネットワーク装置は、第２ネットワーク装置に接続される。端末は、無線インタフェースを通じて、図１の中のＫ個の基地局のうちの１つ以上と通信してよい。
【００７８】
図１に示す通信システムは、第４世代（fourth  generation,  ４G）アクセス技術、例えば、ロングタームエボリューション（long  term  evolution,  LTE）アクセス技術をサポートする通信システムであってよい。代替として、通信システムは、第５世代（fifth  generation,  ５G）アクセス技術、例えば、新無線（new  radio  ,NR）アクセス技術をサポートする通信システムであってよい。代替として、通信システムは、複数の無線技術をサポートする通信システム、例えば、ＬＴＥ技術及びＮＲ技術をサポートする通信システムであってよい。更に、通信システムは、未来指向の通信技術にも適用可能である。
【００７９】
図１に示す通信システムでは、基地局は、４Ｇアクセス技術をサポートする通信システムにおける進化型ＮｏｄｅＢ（evolved  NodeB  ,eNB）、５Ｇアクセス技術をサポートする通信システムにおける次世代ＮｏｄｅＢ（next  generation  NodeB  ,gNB）、又は送受信ポイント（transmission  reception  point,  TRP）、中継ノード（relay  node）、アクセスポイント（access  point,  AP）、等であってよい。
【００８０】
図１に示す通信システムでは、第１ネットワーク装置（又は第２ネットワーク装置）は、伝送ネットワーク内の伝送装置、例えばルータ又はスイッチであってよい。代替として、第１ネットワーク装置（又は第２ネットワーク装置）は、システム内の複数の基地局を維持する能力のある別のサーバであってよく、例えば、４Ｇアクセス技術をサポートする通信システム内の移動性管理エンティティ（mobile  management  entity,  MME）又はサービングゲートウェイ（serving  gateway,  SGW）、５Ｇアクセス技術をサポートする通信システム内のアクセス及び移動性管理機能（access  and  mobility  management  function,  AMF）ネットワーク要素又はユーザプレーン機能（User  Plane  Function,  UPF）ネットワーク要素、又はネットワーク管理サーバであってよい。
【００８１】
図２は、基地局の概略構造図である。基地局は、本願の実施形態において、基地局１、基地局２、基地局３。基地局４、．．．、又は基地局Ｍであってよい。
【００８２】
基地局は、少なくとも１つのプロセッサ２０１、少なくとも１つのメモリ２０２、少なくとも１つのトランシーバ２０３、少なくとも１つのネットワークインタフェース２０４、及び１つ以上のアンテナ２０５を含む。プロセッサ２０１、メモリ２０２、トランシーバ２０３、及びネットワークインタフェース２０４は、例えばバスを使用して接続される。アンテナ２０５は、トランシーバ２０３に接続される。ネットワークインタフェース２０４は、基地局が通信リンクを用いて別の通信装置に接続することを可能にするよう構成される。例えば、Ｓ１インタフェースを通じて、基地局は、ネットワーク装置に接続され、例えば、第１ネットワーク装置又は第２ネットワーク装置に接続されてよい。本願の本実施形態では、接続は、様々な種類のインタフェース、送信線、バス、等を含んでよい。これは、本実施形態において限定されない。
【００８３】
本願の本実施形態におけるプロセッサ２０１は、以下の種類：汎用中央処理ユニット（central  processing  unit,  CPU）、デジタル信号プロセッサ（digital  signal  processor,  DSP）、マイクロプロセッサ、特定用途向け集積回路（application−specific  integrated  circuit,  ASIC）、マイクロコントローラユニット（micro  controller  unit,  MCU）、フィールドプログラマブルゲートアレイ（field  programmable  gate  array  ,FPGA）、又は論理的動作を実施するよう構成される集積回路、のうちの少なくとも１つを含んでよい。例えば、プロセッサ２０１は、シングルコア（single−CPU）プロセッサ又はマルチコア（multi−CPU）プロセッサであってよい。少なくとも１つのプロセッサ２０１は、１つのチップに統合され又は複数の異なるチップに配置されてよい。
【００８４】
本願の本実施形態におけるメモリ２０２は、以下の種類：読み出し専用メモリ（read−only  memory,  ROM）、又は静的情報及び命令を格納する能力のある別の種類の静的記憶装置、又はランダムアクセスメモリ（random  access  memory,  RAM）、又は情報及び命令を格納する能力のある別の種類の動的記憶装置、又は電気的消去プログラム可能な読み出し専用メモリ（electrically  erasable  programmable  read−only  memory,  EEPROM）、のうちの少なくとも１つを含んでよい。幾つかのシナリオでは、メモリは、代替として、コンパクトディスク読み出し専用メモリ（compact  disc  read−only  memory,  CD−ROM）又は別のコンパクトディスク記憶装置、光ディスク記憶装置（コンパクトディスク、レーザディスク、光ディスク、デジタルバーサタイルディスク、ブルーレイディスク、等を含む）、磁気ディスク記憶媒体または別の磁気ディスク記憶装置、又はコンピュータによりアクセス可能な命令又はデータ構造の形式で期待されるプログラムコードを運び又は格納するよう構成可能な任意の他の媒体、であってよい。しかしながら、メモリはここで限定されない。
【００８５】
メモリ２０２は、独立して存在してよく、又はプロセッサ２０１に接続されてよい。任意的に、メモリ２０２は、代替として、プロセッサ２０１に統合され、例えばチップに統合されてよい。メモリ２０２は、本願の実施形態における技術的ソリューションを実行するためのプログラムを格納でき、プロセッサ２０１はプログラムの実行を制御する。実行される種々の種類のコンピュータプログラムは、プロセッサ２０１のドライバとしても考えられてよい。例えば、プロセッサ２０１は、本願の以下の実施形態における技術的ソリューションを実施するために、メモリ２０２に格納されたコンピュータプログラムコードを実行するよう構成される。
【００８６】
トランシーバ２０３は、基地局の間の無線インタフェース信号の受信及び送信をサポートするよう構成されてよく、トランシーバ２０３は、アンテナ２０５に接続されてよい。トランシーバ２０３は、送信機Ｔｘ及び受信機Ｒｘを含む。具体的に、１つ以上のアンテナ２０５は、無線インタフェース信号を受信してよい。トランシーバ２０３の受信機Ｒｘは、アンテナから無線インタフェース信号を受信し、無線インタフェース信号をデジタルベースバンド信号又はデジタル中間周波数信号に変換し、デジタルベースバンド信号又はデジタル中間周波数信号をプロセッサ２０１に提供するよう構成され、その結果、プロセッサ２０１は、更なる処理、例えば復調処理及び復号処理を、デジタルベースバンド信号又はデジタル中間周波数信号に対して実行する。更に、トランシーバ２０３の送信機Ｔｘは、プロセッサ２０１から変調デジタルベースバンド信号又はデジタル中間周波数信号を受信し、変調デジタルベースバンド信号又はデジタル中間周波数信号を無線インタフェース信号へと変換し、１つ以上のアンテナ２０５を用いて無線インタフェース信号を送信するよう更に構成される。具体的に、受信機Ｒｘは、１つ以上のレベルの周波数ダウンミキシング処理及びアナログ−デジタル変換処理を、無線インタフェース信号に対して選択的に実行して、デジタルベースバンド信号又はデジタル中間周波数信号を取得してよい。周波数ダウンミキシング処理及びアナログ−デジタル変換処理の順序は調整可能である。送信機Ｔｘは、１つ以上のレベルの周波数アップミキシング処理及びデジタル−アナログ変換処理を、変調デジタルベースバンド信号又はデジタル中間周波数信号に対して選択的に実行して、無線インタフェース信号を取得してよい。周波数アップミキシング処理及びデジタル−アナログ変換処理の順序は調整可能であってよい。デジタルベースバンド信号及びデジタル中間周波数信号は、集合的にデジタル信号と呼ばれてよい。
【００８７】
図３は、ネットワーク装置の概略構造図である。ネットワーク装置は、本願の実施形態における第１ネットワーク装置又は第２ネットワーク装置であってよい。ネットワーク装置は、少なくとも１つのプロセッサ３０１、少なくとも１つのメモリ３０２、及び少なくとも１つのネットワークインタフェース３０３を含んでよい。プロセッサ３０１及びメモリ３０２は、ネットワークインタフェース３０３に接続される。
【００８８】
プロセッサ３０１は、ネットワーク装置の種々の機能、例えば、無線インタフェース検出を実行するよう複数の基地局を制御する機能、又は複数の基地局の各々により実行される無線インタフェース検出の結果に基づきクロック状態を分析する機能、を実施するよう構成されてよい。
【００８９】
メモリ３０２は、本願の実施形態における技術的ソリューションを実行するためのプログラムコードを格納するよう構成されてよく、プログラムコードは、本願の実施形態におけるネットワーク装置の機能を実施するために、プロセッサ３０１により実行される。
【００９０】
ネットワーク装置は、ネットワークインタフェース３０３を通じて基地局と通信してよい。ネットワークインタフェース３０３は、伝送ネットワークを用いて基地局へデータを送信し、及び／又は伝送ネットワークを用いて基地局からデータを受信するために使用されてよい。例えば、ネットワーク装置は、基地局１、基地局２、基地局３、基地局４、．．．、又は基地局Ｍと、ネットワークインタフェース３０３を通じて通信してよい。
【００９１】
本願では、第１ネットワーク装置は、本願において提供されるクロック状態検出方法を実施するために、中央制御機能及びクロック状態分析機能の両方を有してよい。代替として、第１ネットワーク装置は、クロック状態分析機能を有し、第２ネットワーク装置は、中央制御機能を有し、第１ネットワーク装置及び第２ネットワーク装置は、本願で提供されるクロック状態検出方法を実施するために協力する。
【００９２】
図１に示す通信システムでは、時分割復信（time  division  duplex,  TDD）技術は、Ｍ個の基地局及び端末の間の通信のために使用されてよい。Ｍ個の基地局は、クロック同期を厳格に保つ必要がある。２つの基地局のクロックが同期していない場合、一方の基地局のダウンリンクは、他方の基地局のアップリンクと干渉し得る。
【００９３】
本願は、トラブルシューティング、警告、及び事前調整を実行することに関して、Ｍ個の基地局のクロック状態を検出するクロック状態検出方法を提供し、それにより、基地局のクロック同期、基地局のサービスの正常な実行、及びＵＥのユーザ経験を保証する。本ソリューションでは、Ｍ個の基地局の各々は、無線インタフェースを介して検出シーケンスを送信及び受信してよい。Ｍ個の基地局のクロック状態は、Ｍ個の基地局により受信された検出シーケンスの結果を分析することにより検出されてよい。図４に示すように、本ソリューションは具体的に以下の３つのステップを含んでよい。
【００９４】
第１部分。制御情報の配信。Ｍ個の基地局が検出シーケンスを送信する時点、及びＭ個の基地局が検出シーケンスを受信する時点は、指示情報のＭ個のピースを形成するよう均一に構成される。指示情報の各ピースは、１つの基地局が検出シーケンスを送信する時点と、基地局のＮ個の近隣局の各々が検出シーケンスを送信する時点と、を示してよい。次に、指示情報のＭ個のピースは、Ｍ個の基地局へ配信される。
【００９５】
第２部分。無線インタフェース検出。Ｍ個の基地局の各々は、受信した指示情報に基づき、基地局のＮ個の近隣局の各々が検出シーケンスを送信する時点を知ってよい。基地局は、基地局のＮ個の近隣局の各々が検出シーケンスを送信する時点で、検出シーケンスを検出し、検出結果を形成する。検出結果は、基地局が基地局のＮ個の近隣局の各々から検出シーケンスを受信したか否かを示してよい。
【００９６】
第３部分。クロック状態分析。Ｍ個の基地局のクロック状態は、Ｍ個の基地局の検出結果に基づき決定されてよく、幾つかの条件が構成されてよい。条件は、同期条件、同期外れ条件、又は偏差条件であってよい。次に、Ｍ個の基地局の検出結果に基づき、Ｍ個の基地局が同期条件、同期外れ条件、又は偏差条件を満たすか否かが決定され、基地局のクロック状態が同期状態、同期外れ状態、又は偏差状態かが分かる。例えば、基地局が、基地局の近隣局が検出シーケンスを送信する時点で検出シーケンスを受信できる、又は基地局の近隣局が、基地局が検出シーケンスを送信する時点で検出シーケンスを受信できる場合、基地局は、基地局の近隣局と相対的に同期がとれている。Ｍ個の基地局の中の任意の他の基地局と相対的に同期の取れている基地局の個数が分析され、該個数がある数値に達すると、これらの基地局は同期が取れている、つまりこれらの基地局の全部のクロック状態が同期されていると考えられてよい。個数が該数値に達しないとき、これらの基地局は、同期が外れている又は偏差を有してよく、この場合、これらの基地局が同期外れ状態又は偏差状態にあるかが別個に決定される。
【００９７】
前述の３つの部分のうちの第１部分は、異なる装置により実行されてよい。例えば、第１部分は、Ｍ個の基地局のうちの１つにより実行されてよく、又は第１部分は、ネットワーク装置により実行され、例えば第１ネットワーク装置又は第２ネットワーク装置により実行されてよい。第２部分は、Ｍ個の基地局により実行される。第３部分は、Ｍ個の基地局のうちの１つにより実行されてよく、又は第３部分は、ネットワーク装置により実行され、例えば第１ネットワーク装置又は第２ネットワーク装置により実行されてよい。以下は、本ソリューションを、第１部分が第１ネットワーク装置により実行され、第２部分がＭ個の基地局により実行され、第３部分が第１ネットワーク装置により実行される例を用いて説明する。当業者は、本願の実施形態における内容が、前述の３つの部分が別の装置により実行される場合にも適用可能であることを理解し得る。これは、本願の実施形態において限定されない。
【００９８】
図５は、本願によるクロック状態検出方法の実施形態の概略フローチャートである。例えば、方法は、図１に示す通信システムで使用される。Ｍ個の基地局は、基地局１、基地局２、基地局３、基地局４、．．．、及び基地局Ｍである。基地局１及び基地局２は互いに近隣局であり、基地局１及び基地局３は互いに近隣局であり、基地局３及び基地局４は互いに近隣局である。方法は、以下のステップを含む。
【００９９】
ステップ５０１。第１ネットワーク装置は、指示情報の１つのピースをＭ個の基地局の各々へ送信する。ここで、指示情報は、基地局に、基地局のＮ個の近隣局が検出シーケンスを送信するＮ個の第１時点を示すために使用される。
【０１００】
例えば、第１ネットワーク装置は、指示情報１を基地局１へ送信し、指示情報２を基地局２へ送信し、．．．、指示情報Ｍを基地局Ｍへ送信する。
【０１０１】
指示情報１は、基地局１のＮ１個の近隣局が検出シーケンスを送信するＮ１（Ｎ１≧１）個の第１時点を示すために使用されてよい。指示情報２は、基地局２のＮ２個の近隣局が検出シーケンスを送信するＮ２（Ｎ２≧１）個の第１時点を示すために使用されてよい。同様に、指示情報Ｍは、基地局ＭのＮＭ個の近隣局が検出シーケンスを送信するＮＭ（ＮＭ≧１）個の第１時点を示すために使用されてよい。
【０１０２】
例えば、基地局１は、２つの近隣局：基地局２及び基地局３を有する。基地局２は、１つの近隣局：基地局１のみを有する。例えば、基地局１が検出シーケンスを送信する時点がＴ１であり、基地局２が検出シーケンスを送信する時点がＴ２であり、基地局３が検出シーケンスを送信する時点がＴ３である場合、Ｎ１＝１、及び指示情報１により示されるＮ１個の第１時点はＴ２及びＴ３であり、並びに、Ｎ２＝２、及び指示情報２により示されるＮ２個の第１時点はＴ１である。
【０１０３】
任意的に、基地局のＮ個の近隣局が検出シーケンスを送信するＮ個の第１時点は、基地局のＮ個の近隣局により送信される検出シーケンス同士の相互干渉を回避するために、異なる。例えば、前述の例では、指示情報１により示される２つの第１時点Ｔ２及びＴ３は異なる。基地局２及び基地局３は、検出シーケンスを異なる時点で送信する。その結果、基地局２の検出シーケンスと基地局３の検出シーケンスとの間の干渉は回避できる。従って、検出シーケンスを検出するとき、基地局１は、時点に基づき、検出シーケンスが基地局２により送信されたか又は基地局３により送信されたかを決定することを保証できる。例えば、基地局１がＴ２で検出シーケンスを検出した場合、検出シーケンスは基地局２により送信されたと決定されてよい。基地局２がＴ３で検出シーケンスを検出した場合、検出シーケンスは基地局３により送信されたと決定されてよい。
【０１０４】
任意的に、Ｎ個の第１時点の各々は、複数の送信時点を含んでよい。例えば、基地局２が検出シーケンスを送信する第１時点Ｔ２は、複数の送信時点を含む。基地局２は、複数の送信時点Ｔ２で、複数回、検出シーケンスを継続的に送信してよい。基地局１は、複数の無線フレーム上の１つ以上の送信時点で検出シーケンスを検出し、基地局１は、基地局２により送信された検出シーケンスが受信されたことを決定してよい。複数の送信時点の指示は、基地局が、複数の時間の間、シーケンスを検出することを可能にする。この方法では、基地局と基地局の近隣局との間のチャネルの品質が比較的粗悪であるために、基地局が第１時点で検出シーケンスを検出しない場合が除外される。従って、検出精度が向上する。
【０１０５】
任意的に、Ｍ個の基地局の全部がＴＤＤを使用してよく、Ｍ個の基地局のＴＤＤ構成は同じであってよい。従って、１つのサブフレームについて、Ｍ個の基地局のアップリンク−ダウンリンク構成は同じであり、Ｍ個の基地局は、統一された方法で保護間隔（guard  interval,  GP）の中で検出シーケンスを受信し及び送信してよい。それにより、Ｍ個の基地局のアップリンク及びダウンリンクデータ送信への影響を回避する。
【０１０６】
任意的に、第１時点は、少なくとも１つの第１特別サブフレームを含んでよい。例えば、指示情報１により示される第１時点はＴ２及びＴ３である。Ｔ２は少なくとも１つの第１特別サブフレームを含み、Ｔ３は少なくとも１つの第１特別サブフレームを含む。Ｔ２に含まれる少なくとも１つの第１特別サブフレームは、Ｔ３に含まれる少なくとも１つの特別サブフレームと異なってよい。基地局の近隣局は、特別サブフレームの中で検出シーケンスを送信し、基地局は、特別サブフレームの中で検出シーケンスを検出する。その結果、基地局のアップリンク及びダウンリンクサービスに影響を与えることなく、Ｍ個の基地局のクロック状態を分析するために、無線インタフェース検出が達成できる。
【０１０７】
任意的に、指示情報は、基地局が検出シーケンスを送信する第２時点を更に示してよい。任意的に、指示情報１は、基地局１が検出シーケンスを送信する第２時点を示すために更に使用される。指示情報２は、基地局２が検出シーケンスを送信する第２時点を示すために更に使用される。同様に、指示情報Ｍは、基地局Ｍが検出シーケンスを送信する第２時点を示すために更に使用される。
【０１０８】
例えば、基地局１が検出シーケンスを送信する時点がＴ１であり、基地局２が検出シーケンスを送信する時点がＴ２である場合、指示情報１は基地局１が検出シーケンスを送信する時点がＴ１を更に示してよく、指示情報２は基地局２が検出シーケンスを送信する時点がＴ２を更に示してよい。
【０１０９】
任意的に、第２時点は、少なくとも１つの第２特別サブフレームを含んでよい。例えば、指示情報１により示される第２時点Ｔ１は、少なくとも１つの第２特別サブフレームを含む。
【０１１０】
ステップ５０２。Ｍ個の基地局の各々は、基地局により受信された指示情報により示されるＮ個の第１時点で検出シーケンスを検出する。
【０１１１】
例えば、基地局１は、Ｎ１（Ｎ１≧１）個の第１時点で、基地局１のＮ１個の近隣局により送信された検出シーケンスを検出してよい。基地局２は、Ｎ２（Ｎ２≧１）個の第１時点で、基地局２のＮ２個の近隣局により送信された検出シーケンスを検出してよい。同様に、基地局Ｍは、ＮＭ（ＮＭ≧１）個の第１時点で、基地局ＭのＮＭ個の近隣局により送信された検出シーケンスを検出してよい。
【０１１２】
Ｍ個の基地局の各々は、受信された指示情報により示されるＮ個の第１時点で検出シーケンスを検出する。基地局が、近隣局が検出シーケンスを送信した第１時点で、検出シーケンスを検出すると、基地局は、近隣局から検出シーケンスが受信されたと決定する。
【０１１３】
例えば、基地局１は、指示情報１により示されるＴ２及びＴ３における検出シーケンスを個別に検出する。基地局１がＴ２で検出シーケンスを検出した場合、基地局１は、基地局２により送信された検出シーケンスが受信されたと決定する。基地局１がＴ３で検出シーケンスを検出した場合、基地局１は、基地局３により送信された検出シーケンスが受信されたと決定する。基地局２は、指示情報２により示されるＴ１で検出シーケンスを検出する。基地局２がＴ１で検出シーケンスを検出した場合、基地局２は、基地局１により送信された検出シーケンスが受信されたと決定する。基地局３は、指示情報３により示されるＴ１及びＴ４で検出シーケンスを個別に検出する。基地局３がＴ１で検出シーケンスを検出した場合、基地局３は、基地局１により送信された検出シーケンスが受信されたと決定する。基地局３がＴ４で検出シーケンスを検出した場合、基地局３は、基地局４により送信された検出シーケンスが受信されたと決定する。基地局４は、指示情報４により示されるＴ３で検出シーケンスを検出する。基地局４がＴ３で検出シーケンスを検出した場合、基地局４は、基地局３により送信された検出シーケンスが受信されたと決定する。
【０１１４】
各基地局は、基地局により受信された指示情報により示されるＮ個の第１時点で検出シーケンスの検出を完了した後に、検出結果を取得する。各基地局の検出結果は、基地局が、基地局のＮ個の近隣局の各々により送信された検出シーケンスを受信したか否かを示すために使用される。
【０１１５】
例えば、基地局１は、Ｔ２で検出シーケンスを検出しないが、Ｔ３で検出シーケンスを検出する。従って、基地局１により取得された検出結果は、基地局１が基地局３により送信された検出シーケンスを受信したが、基地局２により送信された検出シーケンスを受信しない、である。基地局２は、Ｔ１で検出シーケンスを検出しない。従って、基地局２により取得された検出結果は、基地局２が基地局１により送信された検出シーケンスを受信しない、である。基地局３は、Ｔ１及びＴ４の両方で検出シーケンスを検出する。従って、基地局３により取得された検出結果は、基地局３が基地局１及び基地局４により送信された検出シーケンスを受信する、である。基地局４は、Ｔ３で検出シーケンスを検出する。従って、基地局４により取得された検出結果は、基地局４が基地局３により送信された検出シーケンスを受信する、である。
【０１１６】
本願では、基地局は、検出シーケンスを受信し及び送信するためにトランシーバ及びアンテナを用いて、無線インタフェース検出を実施してよい。
【０１１７】
ステップ５０３。Ｍ個の基地局の各々は、第１ネットワーク装置へ検出結果を送信する。
【０１１８】
本願では、Ｍ個の基地局の各々は、Ｎ個の近隣局に対する検出を完了した後に、検出結果を送信してよい。例えば、Ｔ２及びＴ３で検出シーケンスの検出を完了した後に、基地局１は、検出結果を第１ネットワーク装置へ送信してよい。代替として、Ｍ個の基地局の各々が基地局のＮ個の近隣局に対する検出を完了した後に、各基地局は、基地局の検出結果を送信してよい。例えば、指示情報は、基地局１、基地局２、基地局３、及び基地局４が１回の無線インタフェース検出を完了する周期Ｔを運ぶ。基地局１、基地局２、基地局３、及び基地局４は、その検出結果を、周期Ｔの終わりまでに第１ネットワーク装置へ送信してよい。
【０１１９】
ステップ５０４。第１ネットワーク装置は、Ｍ個の基地局の検出結果に基づき、Ｍ個の基地局のクロック状態を決定する。
【０１２０】
Ｍ個の基地局のクロック状態を決定するために、以下のケースのうちの１つ以上がある。
【０１２１】
（１）Ｍ個の基地局の中で、クロック状態が同期状態である基地局が決定される。
【０１２２】
（２）Ｍ個の基地局の中で、クロック状態が同期外れ状態である基地局が決定される。
【０１２３】
（３）Ｍ個の基地局の中で、クロック状態が非同期外れ状態である基地局間に局間偏差が存在するか否か決定される。
【０１２４】
前述の条件（３）の中の「非同期外れ」は、以下のケースのうちの一方又は両方として理解されてよい。
【０１２５】
（ａ）クロック状態が同期状態である。
【０１２６】
（ｂ）クロック状態が、同期状態でも同期外れ状態でもない。
【０１２７】
任意的に、先ず、第１ネットワーク装置は、Ｍ個の基地局の検出結果に基づき、Ｍ個の基地局を少なくとも１つのグループにグループ化してよい。
【０１２８】
以下は、Ｍ個の基地局の中で、クロック状態が同期状態である基地局をどのように決定するかを説明する。グループ化を通じて、グループが同期グループか否かが決定できる。グループが同期グループであるとき、グループ内の全部の基地局のクロック状態は同期状態である。
【０１２９】
本願の本実施形態では、一方の基地局が他方の基地局から検出シーケンスを受信できる、及び／又は他方の基地局が基地局から検出シーケンスを受信できる場合、２つの近隣基地局が互いに相対的に同期されている。
【０１３０】
第１ネットワーク装置は、Ｍ個の基地局の検出結果に基づき、Ｍ個の基地局を少なくとも１つのグループにグループ化する。少なくとも１つのグループの各々について、グループが少なくとも２つの基地局を含む場合、グループ内の各基地局は、グループ内の少なくとも１つの他の基地局により送信された検出シーケンスを受信するか、又はグループ内の各基地局により送信された検出シーケンスはグループ内の少なくとも１つの他の基地局により受信される、つまりグループ内の各基地局は、グループ内の少なくとも１つの他の基地局と相対的に同期が取れている。グループが少なくとも１つの基地局を含む場合、１つの基地局は、１つの基地局の各近隣局により送信された検出シーケンスを受信しない、又は１つの基地局により送信された検出シーケンスは１つの基地局の任意の近隣局により受信されない、つまり、Ｍ個の基地局のうちの１つが基地局と相対的に同期の取れている近隣局を有しない場合、基地局は独立してグループを形成できる。
【０１３１】
少なくとも１つのグループの各々について、グループ内の基地局と相対的に同期の取れたグループの外に基地局が存在しない。
【０１３２】
例えば、基地局１、基地局２、基地局３、及び基地局４がグループ化される例が、ここで説明のために使用される。留意すべき事に、Ｍ個の基地局は、２、３、５、５以上、又は１００若しくは１０００個もの基地局を有してよい。第１ネットワーク装置は、４個の基地局を少なくとも１つのグループ、例えばグループ１及びグループ２にグループ化する。グループ１は、少なくとも基地局１、基地局３及び基地局４を含む。基地局１は、基地局３から検出シーケンスを受信でき、基地局３は、基地局１から検出シーケンスを受信できる。基地局３は、基地局４から検出シーケンスを受信でき、基地局４は、基地局３から検出シーケンスを受信できる。グループ２は、基地局２を含む。基地局２は、基地局１から検出シーケンスを受信できず、基地局２により送信された検出シーケンスは、基地局１により受信できない。
【０１３３】
少なくとも１つのグループを取得した後に、第１ネットワーク装置は、多数決ルールに従い、少なくとも１つのグループの中で、所定の閾値より多い又は等しい数の基地局を含むグループを同期グループとして決定し、又は、少なくとも１つのグループの各々に含まれる基地局の数が閾値より少ないとき、少なくとも１つのグループの中で、最大数の基地局を含むグループを同期グループとして決定してよい。ここで、同期グループ内の各基地局のクロック状態は、同期状態である。
【０１３４】
例えば、閾値が１００であり、グループ１内の基地局の数とグループ２内の基地局の数が両方とも１００より少なく、グループ１内の基地局の数がグループ２内の基地局の数より多い場合、グループ１は同期グループであり、基地局１、基地局２、及び基地局３のクロック状態は同期状態であると決定されてよい。
【０１３５】
以下は、Ｍ個の基地局の中でクロック状態が同期状態である基地局を決定した後に、第１ネットワーク装置により、クロック状態が同期外れ状態である基地局をどのように決定するかを説明する。第１ネットワーク装置は、同期外れ条件に基づき、同期グループ以外の同期外れグループが、少なくとも１つのグループの中に存在するか否かを決定してよく、同期外れグループの中の各基地局のクロック状態は、同期外れ状態である。
【０１３６】
例えば、少なくとも１つのグループの中の同期グループ以外のグループ（該グループは１つの基地局を含んでよく、又は該グループは２つより多くの基地局を含んでよい）では、グループ内の１つの基地局が同期外れ条件を満たすか否かが決定されてよい。基地局が同期外れ条件を満たす場合、基地局のクロック状態は同期外れ状態であり、グループは同期外れグループである。同期外れ条件は、以下の条件のうちの１つ以上を含むが限定されない。
【０１３７】
（１）１つの基地局のクロックシステム調整値が、所定の調整閾値より大きい。
【０１３８】
基地局は、内部クロックシステム、及び基地局の外部クロック源を含んでよい。基地局は、内部クロックシステムの時間を調整するために、外部クロック源の時間を受信してよい。基地局のクロックシステム調整値は、ある時点における基地局の内部クロックシステムの時間と基地局のクロック源の時間との間の差、又はある時間期間における基地局のクロックシステムの時間と基地局のクロック源の時間との間の蓄積された差であってよい。
【０１３９】
（２）１つの基地局がクロック警報を発する。
【０１４０】
基地局のクロックシステムが故障すると、基地局はクロック警報を発する。１つの基地局がクロック警報を発した場合、それは、基地局のクロックシステムが故障していることを示し、基地局のクロック状態は同期外れ状態であってよい。
【０１４１】
（３）１つの基地局の近隣局への同期外れ干渉が、所定の干渉閾値より大きく、１つの基地局が休止した後に、１つの基地局の近隣局への同期外れ干渉が消失するか、又は、１つの基地局への同期外れ干渉が、所定の干渉閾値より大きく、１つの基地局の近隣局が休止した後に、１つの基地局への同期外れ干渉が消失する。
【０１４２】
例えば、基地局２が一例として使用される。基地局２の近隣局は、基地局１である。同期外れ干渉が基地局１に存在し（つまり、基地局１のアップリンクが基地局のダウンリンクにより干渉を受ける）、同期外れ干渉が所定の干渉閾値より大きい場合、それは、基地局１が基地局１の近隣局と相対的に同期が外れていることを示す。基地局２が休止された後に、基地局１への干渉が消失する。これは、基地局２が基地局１に対する干渉を引き起こす基地局であることを示す。可能な原因は、基地局２のクロック状態が同期外れ状態であることである。
【０１４３】
相応して、同期外れ干渉が基地局２に存在し（つまり、基地局２のアップリンクが基地局のダウンリンクにより干渉を受ける）、同期外れ干渉が所定の干渉閾値より大きい場合、それは、基地局２が基地局２の近隣局と相対的に同期が外れていることを示す。基地局１が休止された後に、基地局２への干渉が消失する。これは、基地局２が基地局１に対する干渉を引き起こす基地局であることを示す。可能な原因は、ここでも、基地局２のクロック状態が同期外れ状態であることである。
【０１４４】
（４）前の周期で１つの基地局のクロック状態が同期状態であり、基地局が、少なくとも２つの近隣局と相対的に同期が取れており、前の周期及び現在の周期における少なくとも２つの近隣局のクロック状態が両方とも同期状態である。
【０１４５】
Ｍ個の基地局及び第１ネットワーク装置が前述のステップ５０２〜５０４を周期的に実行すると、基地局が前の周期において近隣局と相対的に同期が取れている場合（近隣局のクロック状態が同期状態である）、基地局のクロック状態は同期状態として決定される。しかしながら、現在周期において、クロック状態が同期状態ではないと決定された場合、可能な原因は、基地局のクロック同期外れであるか、又は基地局及び近隣局が比較的粗悪なチャネル品質により互いから検出シーケンスを受信できないためである。基地局が、前の周期において少なくとも２つの近隣局と相対的に同期が取れている場合（少なくとも２つの近隣局のクロック状態が同期状態である）、基地局のクロック状態は同期状態として決定される。しかしながら、現在周期において、クロック状態が同期状態ではないと決定された場合、可能性の高い原因は、基地局のクロック同期外れである。
【０１４６】
同じグループ内の基地局は全部が相対的に同期されているので、基地局のクロック状態が同期外れ状態であるとき、基地局と相対的に同期の取れている基地局のクロック状態は、全部、同期外れ状態である。従って、少なくとも１つのグループの中の同期グループ以外の任意のグループについて、グループ内の任意の基地局のクロック状態が、前述の同期外れ条件に基づき同期外れ状態であると決定された場合、グループ内の全部の基地局のクロック状態は、全部、同期外れ状態である。
【０１４７】
任意的に、グループが少なくとも２つの基地局を含む場合、前述の条件（１）、（２）、（３）、及び（４）に加えて、同期外れ条件は更に以下の条件を含んでよい。
【０１４８】
（５）少なくとも２つの基地局が、同じクロック装置からクロック信号を取得する。
【０１４９】
クロック装置は、クロック源又は伝送装置であってよく、伝送装置は、２つの基地局とクロック源との間でクロック信号を送信する装置である。少なくとも２つの基地局のクロック状態が両方とも非同期であり、少なくとも２つの基地局が同じクロック装置からのクロック信号を更に取得する場合、それは、クロック装置が故障している可能性があることを示し、これは、少なくとも２つの基地局の同期外れ状態を引き起こし得る。
【０１５０】
（６）前の周期におけるグループ内の少なくとも２つの基地局のクロック状態が、同期状態である。
【０１５１】
Ｍ個の基地局及び第１ネットワーク装置が前述のステップ５０２〜５０４を周期的に実行するとき、前の周期における基地局のクロック状態が同期状態として決定された場合、現在周期における基地局のクロック状態は、同期外れ状態として決定されてよい。グループ内の基地局のクロック状態が同期状態から同期外れ状態へと変化した場合、可能な原因は、基地局が同期が外れていること、又は基地局及びクロック状態が同期状態である近隣局が比較的粗悪なチャネル品質により互いから検出シーケンスを受信できないことであることが理解され得る。従って、グループ内の基地局のクロック状態が同期状態から同期外れ状態へと変化した場合、それは、基地局が同期が外れたことを示さず、基地局と相対的に同期の取れているグループ内の全部の基地局が、全部、同期外れであることを示すことはできない。しかしながら、グループ内の少なくとも２つの基地局のクロック状態が同期状態から同期外れ状態へと変化した場合、それは、少なくとも２つの基地局のクロック状態が同期外れ状態へと変化する比較的高い可能性が存在することを示す。
【０１５２】
本願で提供されるクロック状態検出方法によると、クロック状態が同期外れ状態である１つ以上の基地局が検出でき、故障した基地局及び故障したクロック源を特定し、適時に保守を実行し、それにより、基地局のサービスの正常な実行を保証し、及びＵＥのユーザ経験を保証する。
【０１５３】
以下は、第１ネットワーク装置により、Ｍ個の基地局の中でクロック状態が同期状態である基地局及びクロック状態が同期外れ状態である基地局を決定した後に、非同期外れ状態にない基地局の間に偏差が存在するか否かを、どのように決定するかを説明する。
【０１５４】
例えば、第１ネットワーク装置は、非同期外れ状態である基地局により報告された検出結果に基づき、非同期外れ状態である、互いに送信された検出シーケンスを受信する２つの近隣基地局の間の局間偏差を計算してよい。
【０１５５】
任意的に、基地局が基地局の近隣局により送信された検出シーケンスを受信できた場合、基地局は、対応する受信遅延を測定してよく、基地局の検出結果は、基地局により検出シーケンスを受信する受信遅延を含んでよい。更に、第１ネットワーク装置は、受信遅延に基づき、非同期外れ状態である、互いに送信された検出シーケンスを受信する２つの近隣基地局の間の局間偏差を計算してよい。
【０１５６】
例えば、図６に示すように、基地局４及び基地局３は、互いから検出シーケンスを受信できる。Δ１は、基地局４が基地局３から検出シーケンスを受信する受信遅延を表し、Δ２は、基地局３が基地局４から検出シーケンスを受信する受信遅延を表す。
【０１５７】
任意的に、基地局３の検出結果は、Δ２及びΔ３を含んでよく（Δ３は基地局３により基地局１から検出シーケンスを受信するための受信遅延を表すと仮定する）、基地局４の検出結果は、Δ１を含んでよい。この場合、基地局３及び基地局４は、非同期外れ状態である基地局であり、第１ネットワーク装置は、Δ１及びΔ２に基づき、基地局３と基地局４との間の局間偏差（Δ１−Δ２）／２を計算する。
【０１５８】
非同期外れ状態である各基地局について、第１ネットワーク装置は、非同期外れ状態である基地局と、検出シーケンスの受信／送信できる、基地局の各近隣局との間の局間偏差を計算する。次に、非同期外れ状態である基地局のクロック偏差レベルが、非同期外れ状態である基地局の最大局間偏差と所定のクロック偏差レベル基準とに基づき、決定される。
【０１５９】
例えば、クロック偏差レベル基準は以下の通りである。３μｓ〜５μｓの局間偏差は僅かな偏差を示し、５μｓ〜７μｓの局間偏差は中程度の偏差を示し、７μｓより大きい局間偏差は重度の偏差を示す。
【０１６０】
基地局３の最大局間偏差が、基地局３と基地局４との間の局間偏差である場合（最大局間偏差が６μｓであると仮定する）、第１ネットワーク装置は、基地局３と基地局４との間の局間偏差レベルが両方とも中程度の偏差であると決定する。
【０１６１】
本願で提供されるクロック状態検出方法によると、トラブルシューティング、警告及び事前調整を実行するために、異なる程度の局間偏差を有する基地局が検出でき、それにより、基地局のサービスの正常な実行を保証する。
【０１６２】
留意すべきことに、図５では、説明のための例として４個の基地局が使用される。当業者は、Ｍの値が２、３、又は４より大きくてよいことを理解し得る。Ｍの値が比較的大きい、例えばＭが１００より大きいとき、Ｍ個の基地局のクロック状態をより正確に決定するために、Ｍ個の検出結果に基づき、ビッグデータ分析が実行されてよい。
【０１６３】
本願で提供される方法によると、ネットワーク全体に渡るＭ個の基地局のクロック状態が分析できる。更に、Ｍ個の基地局のクロック状態は、Ｍ個の基地局の間でクロック同期外れによる相互干渉が生じる前に、検出されてよく、トラブルシューティング、警告、及び事前調整を実行する前に、ネットワーク全体に渡るＭ個の基地局のクロック状態を識別し、それにより、基地局のサービスの正常な実行及びＵＥのユーザ経験を保証する。更に、本願で提供される方法によると、ネットワーク全体に渡るＭ個の基地局のクロック状態は、比較的短時間のうちに分析を通じて取得されてよく、その結果、干渉を受けた基地局のクロック状態を１つずつ個別に決定する必要がなく、それにより、基地局のクロック状態を監視する効率を向上する。
【０１６４】
更に、図５の方法は、周期的に実行されてよく、その結果、ネットワーク全体に渡るＭ個の基地局のクロック状態は、リアルタイムに監視でき、それにより、システム信頼性を向上する。
【０１６５】
以下は、特定の実施形態を参照して例を用いて前述の３つの部分を個別に説明する。
【０１６６】
図７は、第１部分（制御情報の配信）の実装に焦点を当てる。図７は、図５の内容と結合されてよい。図７に示す例は、図５のステップ５０１を更に説明するために使用される。図７に示すように、ステップ５０１は以下のステップを含む。
【０１６７】
ステップ１。第１ネットワーク装置は、指示情報１を基地局１へ送信する。ここで、指示情報１は、基地局１のＮ１個の近隣局が検出シーケンスを送信するＮ１個の第１時点を示す。
【０１６８】
ステップ２。第２ネットワーク装置は、指示情報２を基地局２へ送信する。ここで、指示情報２は、基地局２のＮ２個の近隣局が検出シーケンスを送信するＮ２個の第１時点を示す。
【０１６９】
残りは同様に推定されてよい。
【０１７０】
ステップＭ−１。第１ネットワーク装置は、指示情報Ｍ−１を基地局Ｍ−１へ送信する。ここで、指示情報Ｍ−１は、ＮＭ−１個の近隣局が検出シーケンスを送信するＮＭ−１個の第１時点を示す。
【０１７１】
ステップＭ。第１ネットワーク装置は、指示情報Ｍを基地局Ｍへ送信する。ここで、指示情報Ｍは、ＮＭ個の近隣局が検出シーケンスを送信するＮＭ個の第１時点を示す。
【０１７２】
例えば、基地局により検出シーケンスを送信するメカニズムは以下の通りであると仮定される。
【０１７３】
Ｍ個の基地局が無線インタフェース検出を完了する時間は周期Ｔである。周期Ｔは、幾つかのサブ周期を含んでよい。各サブ周期は、Ｘ個の無線フレームを含んでよい。１つのサブ周期の中の幾つかの無線フレームのフレーム数は、別のサブ周期の中の無線フレームのものと同じであってよい。例えば、サブ周期は１０２４個の無線フレーム（１０．２４秒）を含んでよく、各サブ周期の中の無線フレームのフレーム数は０〜１０２３であってよい。検出シーケンスを送信するために、各サブ周期の中で、Ｊ個の無線フレームが、Ｘ個の無線フレームから選択されてよく、Ｊ個の無線フレームは、連続する又は不連続な無線フレームであってよい。各基地局は、検出シーケンスをＩ個の無線フレームで送信してよく、Ｉ個の無線フレームは連続する又は不連続な無線フレームであってよい。その結果、基地局の近隣局は、Ｉ個の無線フレームで検出シーケンスを受信でき、それにより、単一の無線フレームの粗悪なチャネル品質により検出シーケンスが受信できない場合を回避する。
【０１７４】
第１ネットワーク装置は、異なる無線フレームで検出シーケンスを別個に送信するようＭ個の基地局を制御してよく、又は同じ無線フレームで検出シーケンスを送信するよう、Ｍ個の基地局の中の同じ近隣局を有しない少なくとも２つの基地局を制御してよい。
【０１７５】
図８に示すように、Ｍ個の基地局は、異なる無線フレームで検出シーケンスを別個に送信する。各サブ周期の中で検出シーケンスを送信できる基地局の数は、Ｍ０＝Ｊ／Ｉであり、Ｍ個の基地局は、検出シーケンスの送信を１回完了するためにＭ／Ｍ０回のサブ周期を必要とする。つまり、１周期Ｔは、Ｍ／Ｍ０個のサブ周期を含んでよい。１〜Ｍ０の送信番号を有する基地局は、サブ周期１で検出シーケンスを送信し、Ｍ０＋１〜２Ｍ０の送信番号を有する基地局は、サブ周期２で検出シーケンスを送信する。同様に、Ｍ−Ｍ０＋１〜Ｍの送信番号を有する基地局は、サブ周期Ｍ／Ｍ０で検出シーケンスを送信する。
【０１７６】
１〜Ｍ０の送信番号を有する基地局がサブ周期１で検出シーケンスを送信する例が使用される。Ｊ個の無線フレームは、連続する又は不連続な無線フレームであってよい。ここで説明を容易にするために、Ｊ個の無線フレームが連続する無線フレームであり、Ｊ個の無線フレームのシステムフレーム番号（system  frame  number,  SFN）が１〜Ｊある例が、説明のために使用される。
【０１７７】
１の送信番号を有する基地局が１〜ＩのＳＦＮを有する無線フレームで検出シーケンスを送信する。２の送信番号を有する基地局がＩ＋１〜２ＩのＳＦＮを有する無線フレームで検出シーケンスを送信する。同様に、Ｍ０の送信番号を有する基地局がＪ−１〜ＪのＳＦＮを有する無線フレームで検出シーケンスを送信する。
【０１７８】
前述の検出シーケンス送信メカニズムに基づき、可能な設計では、第１ネットワーク装置は、基地局のＮ個の近隣局が検出シーケンスを送信するＮ個の第１時点に関する情報、及び基地局が検出シーケンスを送信する第２時点に関する情報を、指示情報の中に直接含んでよい。
【０１７９】
例えば、第１ネットワーク装置は、サブ周期１の開始時間、基地局１、基地局２、及び基地局３により検出シーケンスを送信するサブ周期及び無線フレームのＳＦＮを、指示情報１の中に含んでよい。例えば、指示情報１は、周期Ｔの開始時間、基地局１により検出シーケンスを送信するためのサブ周期番号（サブ周期１）及び無線フレームのＳＦＮ（１、２、．．．、Ｉを含む）、基地局２により検出シーケンスを送信するためのサブ周期番号（サブ周期１）及び無線フレームのＳＦＮ（Ｉ＋１、Ｉ＋２、．．．、２Ｉを含む）、及び基地局３により検出シーケンスを送信するためのサブ周期ＩＤ（サブ周期１）及び無線フレームのＳＦＮ（２Ｉ＋１、２Ｉ＋２、．．．、３Ｉを含む）を含む。指示情報１を受信した後に、基地局１は、指示情報１の中の周期Ｔの開始時間に基づき、サブ周期１の直接位置を決定し、基地局１がサブ周期１の中の１、２、．．．、ＩのＳＦＮを有する無線フレームで検出シーケンスを送信すること、基地局２が、サブ周期１の中のＩ＋１、Ｉ＋２、．．．、２ＩのＳＦＮを有する無線フレームで検出シーケンスを送信すること、及び基地局３が、サブ周期１の中の２Ｉ＋１、２Ｉ＋２、．．．、３ＩのＳＦＮを有する無線フレームで検出シーケンスを送信すること、を決定できる。
【０１８０】
別の可能な設計では、第１ネットワーク装置は、代替として、指示情報の中に、制御情報を含んでよい。基地局は、制御情報に基づき、基地局のＮ個の近隣局が検出シーケンスを送信するＮ個の第１時点、及び基地局が検出シーケンスを送信する第２時点に関する情報、を計算してよい。例えば、指示情報は、周期Ｔの開始時間、及び基地局と基地局のＮ個の近隣局の送信番号を運ぶ。
【０１８１】
例えば、指示情報１は、周期Ｔの開始時間、基地局１の送信番号（例えば、基地局１の送信番号が１である）、基地局２の送信番号（例えば、基地局２の送信番号が２である）、及び基地局３の送信番号（例えば、基地局３の送信番号が３である）を含む。指示情報１を受信した後に、基地局１は、図８に示す送信メカニズム及び周期Ｔの開始時間に基づき、Ｍ／Ｍ０個のサブ周期を決定し、次に、基地局１の送信番号１に基づき、基地局１がサブ周期１の中の１、２、．．．、ＩのＳＦＮを有する無線フレームで検出シーケンスを送信することを決定し、基地局２の送信番号２に基づき、基地局２が、サブ周期１の中のＩ＋１、Ｉ＋２、．．．、２ＩのＳＦＮを有する無線フレームで検出シーケンスを送信することを決定し、及び基地局３の送信番号３に基づき、基地局３が、サブ周期１の中の２Ｉ＋１、２Ｉ＋２、．．．、３ＩのＳＦＮを有する無線フレームで検出シーケンスを送信することを決定する。
【０１８２】
任意的に、指示情報は、無線フレームの中で検出シーケンスを送信するための特別サブフレームを示す位置情報を更に運んでよい。例えば、位置情報は、検出シーケンスを送信するための、無線フレームの中の第１特別サブフレーム、第２特別サブフレーム、又は最後の特別サブフレームを示してよい。例えば、指示情報１は、無線フレームの中の最後の特別サブフレームを示す位置情報を運ぶ。基地局１が、前述の２つの可能な設計のいずれかに基づき、基地局１、基地局２、及び基地局３が検出シーケンスを送信する無線フレームを決定した後に、基地局１は、位置情報に基づき、基地局１が１、２、．．．、IのＳＦＮを有する無線フレームの各々の最後の特別サブフレームの中で検出シーケンスを送信すること、基地局２がＩ＋１、Ｉ＋２、．．．、２IのＳＦＮを有する無線フレームの各々の最後の特別サブフレームの中で検出シーケンスを送信すること、及び基地局３が２Ｉ＋１、２Ｉ＋２、．．．、３IのＳＦＮを有する無線フレームの各々の最後の特別サブフレームの中で検出シーケンスを送信すること、を更に決定する。
【０１８３】
任意的に、指示情報は、周波数を更に示す。第１ネットワーク装置によりＭ個の基地局へ送信される指示情報の中で示される周波数は、同じであり、それにより、各基地局及び基地局の各近隣局が同じ周波数で検出シーケンスを送信することを保証する。
【０１８４】
任意的に、同じ近隣局を有しない少なくとも２つの基地局について、第１ネットワーク装置は、更に、同じ近隣局を有しない少なくとも２つの基地局に、同じ第２時点を割り当ててよい。例えば、基地局２の近隣局は基地局１であり、基地局４の近隣局は基地局３である。第１ネットワーク装置は、サブ周期１の中のＩ＋１、Ｉ＋２、．．．、２ＩのＳＦＮを有する無線フレームの中で検出シーケンスを送信するよう、基地局２及び基地局４の両方を制御してよい。例えば、第１の可能な設計に基づき、基地局４により検出シーケンスを送信するためのサブ周期番号（サブ周期１）及び無線フレームのＳＦＮ（Ｉ＋１、Ｉ＋２、．．．、２Ｉを含む）は、基地局４へ送信される指示情報４、及び基地局３へ送信される指示情報３に直接含まれる。
【０１８５】
代替として、第２の可能な設計に基づき、第１ネットワーク装置は、同じ送信番号、つまり送信番号２を、基地局２及び基地局４に割り当てる。次に、基地局４の送信番号２は、基地局４へ送信される指示情報４、及び基地局３へ送信される指示情報３の中で運ばれる。従って、基地局４及び基地局３は、送信番号２に基づき、基地局４も、サブ周期１の中のＩ＋１、Ｉ＋２、．．．、２ＩのＳＦＮを有する無線フレームの中で検出シーケンスを送信することを決定してよい。
【０１８６】
第１ネットワーク装置は、同じ第２時点で検出シーケンスを送信するよう、同じ近隣局を有しない少なくとも２つの基地局を制御する。それにより、Ｍ個の基地局による検出シーケンスの送信のための時間を削減し、検出効率を向上する。
【０１８７】
例えば、第１ネットワーク装置は、Ｍ個の基地局の位置情報、及び各基地局のカバレッジ半径（つまり、セル半径）に基づき、領域分割を実行してよい。Ｍ個の基地局の中で最大カバレッジ半径を有する基地局の半径がｒであり、Ｍ個の基地局のうちの最も遠い２つの基地局の間の距離がｄであると仮定する。この場合、Ｍ個の基地局の中央位置が、環状領域分割の原点として使用される。Ｍ個の基地局の位置する領域は、
【数１】
2021532688.tif 000003
個の領域に分割される。
【数２】
2021532688.tif 000004
ｎ個の環状領域の中で、隣接しない環状領域の中の基地局によりカバーされるセルは、互いに独立している。つまり、隣接しない環状領域の中の基地局は、同じ近隣局を有しない。従って、ネットワーク装置は、同じ時点で検出シーケンスを送信するよう、隣接しない環状領域内に位置する少なくとも２つの基地局を制御してよい。
【０１８８】
例えば、図９に示すように、Ｍ個の基地局の位置する領域は６個の環状領域に分割され、環状領域１、３、５は３個の隣接しない領域であり、環状領域２、４、６は３個の他の隣接しない領域である。第１ネットワーク装置は、環状領域１、３、５内の基地局を検出シーケンスを同時に送信するよう、及び環状領域２、４、６内の基地局を検出シーケンスを同時に送信するよう、制御してよい。６個の領域の中の基地局が検出シーケンスを順に送信する方法と比較して、検出時間は３分の２に短縮され、それにより、検出効率が向上する。
【０１８９】
図１０に示す実施形態は、第２部分（無線インタフェース検出）の実装に焦点を当てる。図１０は、図５の内容と結合されてよい。図１０に示す例は、図５のステップ５０２を更に説明するために使用される。
【０１９０】
例えば、Ｍ個の基地局は、基地局１、基地局１、基地局２、基地局３、及び基地局４である。基地局１及び基地局３は互いの近隣局であり、基地局１及び基地局２は互いの近隣局であり、基地局３及び基地局４は互いの近隣局である。図１０に示すように、第１ネットワーク装置は、基地局１をＧＰ１（ＧＰ１は１のＳＦＮを有する無線フレームの中の特別サブフレームの中のＧＰであると仮定する）の中で検出シーケンスを送信するよう、基地局２をＧＰ２（ＧＰ２は２のＳＦＮを有する無線フレームの中の特別サブフレームの中のＧＰであると仮定する）の中で検出シーケンスを送信するよう、基地局３をＧＰ３（ＧＰ３は３のＳＦＮを有する無線フレームの中の特別サブフレームの中のＧＰであると仮定する）の中で検出シーケンスを送信するよう、及び基地局４をＧＰ４（ＧＰ４は４のＳＦＮを有する無線フレームの中の特別サブフレームの中のＧＰであると仮定する）の中で検出シーケンスを送信するよう、制御する。
【０１９１】
基地局１は、受信した指示情報１に基づき、ＧＰ１の中で検出シーケンスを送信し、ＧＰ２及びＧＰ３の中で検出シーケンスを検出し、基地局２及び基地局３により送信された検出シーケンスが受信できるか否かを決定する。例えば、図１０に示すように、基地局１は、ＧＰ２の中で検出シーケンスを検出しないが、ＧＰ３の中で検出シーケンスを検出する。基地局１により取得された検出結果は、基地局１が基地局３により送信された検出シーケンスを受信したが、基地局２により送信された検出シーケンスを受信しないことを示す。
【０１９２】
基地局２は、受信した指示情報２に基づき、ＧＰ２の中で検出シーケンスを送信し、ＧＰ１の中で検出シーケンスを検出し、基地局１により送信された検出シーケンスが受信できるか否かを決定する。例えば、図１０に示すように、基地局２は、ＧＰ１の中で検出シーケンスを検出しない。基地局２により取得された検出結果は、基地局２が基地局１により送信された検出シーケンスを受信しないことを示す。
【０１９３】
基地局３は、受信した指示情報３に基づき、ＧＰ３の中で検出シーケンスを送信し、ＧＰ１及びＧＰ４の中で検出シーケンスを検出し、基地局１及び基地局４により送信された検出シーケンスが受信できるか否かを決定する。例えば、図１０に示すように、基地局３は、ＧＰ１及びＧＰ４の中で検出シーケンスを検出する。基地局３により取得された検出結果は、基地局３が基地局１及び基地局４により送信された検出シーケンスを受信することを示す。
【０１９４】
基地局４は、受信した指示情報４に基づき、ＧＰ４の中で検出シーケンスを送信し、ＧＰ３の中で検出シーケンスを検出し、基地局３により送信された検出シーケンスが受信できるか否かを決定する。例えば、図１０に示すように、基地局４は、ＧＰ３の中で検出シーケンスを検出する。基地局４により取得された検出結果は、基地局４が基地局３により送信された検出シーケンスを受信することを示す。
【０１９５】
任意的に、基地局の検出結果は、基地局による検出シーケンスの受信の遅延を示すために更に使用されてよい。例えば、各基地局により送信された検出シーケンス、及び検出シーケンスを送信する方法は、同じであってよい。その結果、検出シーケンスを受信する各基地局は、検出シーケンスを送信する基地局がＧＰ内で検出シーケンスを送信し始める時点、及び検出シーケンスの送信のための信号強度が最高になる時点を知ることができる。検出シーケンスを受信する基地局は、検出シーケンスが送信され始めた時点、及び検出シーケンスが受信され始めた時点に基づき、受信遅延を決定してよい。代替として、受信遅延は、最高信号強度を有する送信時点、及び最高信号強度を有する受信時間に基づき決定されてよい。
【０１９６】
基地局１は、ＧＰ３の中で検出シーケンスを検出し、基地局１は、基地局３について、検出シーケンスを送信するための信号強度がＧＰ３の中の時点ｔ１で最高であることを決定してよい。更に、基地局１は、検出シーケンスを送信するための信号強度がＧＰ３の中の時点ｔ２で最低であることを検出する。基地局１は、基地局３により送信された検出シーケンスを受信するための受信遅延がｔ２−ｔ１であることを決定してよい。基地局１は、基地局３により送信された検出シーケンスの受信遅延ｔ２−ｔ１を、検出結果に直接含めてよい。従って、第１ネットワーク装置は、基地局１の検出結果の中で運ばれる受信遅延に基づき、基地局１の中に局間偏差が存在するか否か、及び偏差レベルを分析する。
【０１９７】
図１１は、グループ化アルゴリズムを説明し、第３部分（クロック状態分析）の実装処理に関連する。図１１は、図５の内容と結合されてよい。図１１に示す例は、図５のステップ５０４を更に説明するために使用される。図１１に示すように、グループ化アルゴリズムは以下のステップを含んでよい。
【０１９８】
Ｓ１。初期値ｍ＝１を決定する。次のステップはＳ２を実行することである。
【０１９９】
Ｓ２。Ｍ個の基地局の中に、いずれのグループにもグループ化されていない基地局が存在するか否かを決定する。存在する場合、Ｓ３が次に実行され、存在しない場合、Ｓ８が次に実行される。
【０２００】
Ｓ３。グループｍを生成し、いずれのグループにもグループ化されていない基地局からランダムに基地局を選択し、基地局をグループｍにグループ化する。Ｓ４が次に実行される。
【０２０１】
Ｓ４。いずれのグループにもグループ化されていない基地局の中で、グループｍの中の基地局と相対的に同期の取れている基地局が存在するか否かを決定する。存在する場合、Ｓ５が次に実行され、存在しない場合、Ｓ６が次に実行される。
【０２０２】
Ｓ４が実行されると、いずれのグループにもグループ化されていない基地局が存在しない場合、つまりＭ個の基地局のうちのいずれも１つのグループにグループ化されていない場合、第１ネットワーク装置は、Ｓ４の決定結果が「いいえ」であると直接決定する。
【０２０３】
Ｓ５。基地局をグループｍにグループ化する。次のステップはＳ４を実行することである。
【０２０４】
Ｓ６。グループｍを取得する。次のステップはＳ７を実行することである。
【０２０５】
Ｓ７。ｍ＝ｍ＋１に設定する。次のステップはＳ２を実行することである。
【０２０６】
Ｓ８。終了。
【０２０７】
前述のアルゴリズムを通じて、Ｍ個の基地局は、少なくとも１つのグループにグループ化され得る。少なくとも１つのグループの各々について、グループ内の基地局と比較的同期の取れたグループの外に基地局が存在しない。更に、グループが少なくとも２つの基地局を含む場合、グループ内の各基地局は、グループ内の少なくとも１つの他の基地局と相対的に同期が取れている。Ｍ個の基地局の中の基地局が、基地局と相対的に同期の取れている近隣局を有しない場合、基地局は、グループを独立して形成してよい。
【０２０８】
例えば、前述の例における基地局１、基地局２、基地局３、及び基地局４が例として使用される。基地局１及び基地局３は互いの近隣局であり、基地局１及び基地局２は互いの近隣局であり、基地局３及び基地局４は互いの近隣局である。第１ネットワーク装置は、基地局１、基地局２、基地局３、及び基地局４により送信された検出結果に基づき、基地局１が基地局２と相対的に同期がとれていないこと、基地局１が基地局３と相対的に同期が取れていこと、及び基地局３が基地局４と相対的に同期が取れていることを決定する。
【０２０９】
第１ネットワーク装置は、Ｓ１から開始して、ｍ＝１を決定する。次のステップはＳ２を実行することである。４個の基地局の中に、いずれのグループにもグループ化されていない基地局が存在するか否かを決定する。４個の基地局のどれも、いずれのグループにもグループ化されていないと決定される。次のステップはＳ３を実行することである。グループ１を生成しこの場合、ｍ＝１）、基地局１、基地局２、基地局３、及び基地局４から基地局１をランダムに選択し、基地局１をグループ１にグループ化する。次のステップはＳ４を実行することである。いずれのグループにもグループ化されていない基地局２、基地局３、及び基地局４の中で、グループ１の中の基地局と相対的に同期の取れている基地局が存在するか否かを決定する。基地局３がグループ１内の基地局１と相対的に同期が取れていると決定される。次のステップはＳ５を実行することである。基地局３をグループ１にグループ化する。この場合、グループ１は基地局１及び基地局３を含む。次のステップはＳ４を実行することである。いずれのグループにもグループ化されていない基地局２及び基地局４の中で、グループ１の中の基地局と相対的に同期の取れている基地局が存在するか否かを決定する。基地局４がグループ１内の基地局３と相対的に同期が取れていると決定される。次のステップはＳ５を実行することである。基地局４をグループ１にグループ化する。この場合、グループ１は基地局１、基地局３、及び基地局４を含む。次のステップはＳ４を実行することである。いずれのグループにもグループ化されていない基地局２が、グループ１ｍの中の基地局と相対的に同期が取れているか否かを決定する。基地局２がグループ１内の基地局１と相対的に同期が取れていると決定される。次のステップはＳ６を実行することである。グループ１を取得し、ここで、グループ１は基地局１、基地局３、及び基地局４を含む。次のステップはＳ７を実行することである。ｍ＝１＋１＝２に設定する。次のステップはＳ２を実行することである。４個の基地局の中に、いずれのグループにもグループ化されていない基地局が存在するか否かを決定する。基地局２がいずれのグループにもグループ化されていないと決定される。次のステップはＳ３を実行することである。グループ２を生成し（この場合、ｍ＝１）、基地局２をグループ２にグループ化する。次のステップはＳ４を実行することである。いずれのグループにもグループ化されていない基地局の中で、グループ２の中の基地局と相対的に同期の取れている基地局が存在するか否かを決定する。この場合、いずれのグループにもグループ化されていない基地局が存在しないので、Ｓ４の決定結果は「いいえ」として決定される。次のステップはＳ６を実行することである。グループ２を取得し、ここで、グループ２は基地局２を含む。次のステップはＳ７を実行することである。ｍ＝２＋１＝３に設定する。次のステップはＳ２を実行することである。４個の基地局の中に、いずれのグループにもグループ化されていない基地局が存在するか否かを決定する。いずれのグループにもグループ化されていない基地局が存在しないと決定される。次のステップはＳ８を実行することである。終了。
【０２１０】
Ｓ８が実行された後に、４個の基地局は、グループ１及びグループ２を含む２つのグループにグループ化される。グループ１は、基地局１、基地局３及び基地局４を含む。グループ１内の各基地局は、グループ１内の基地局と相対的に同期の取れている基地局を有する（例えば、基地局１は基地局３と相対的に同期が取れており、基地局４は基地局３と相対的に同期が取れている）。更に、グループ１内の各基地局は、グループ１の外部の任意の他の基地局と相対的に同期が取れていない（例えば、基地局１はグループ１の外部の近隣局、つまり基地局２を有するが、基地局２は、基地局１と相対的に同期が取れていない）。
【０２１１】
グループ２は基地局２を含み、基地局２は、基地局２と相対的に同期の取れている近隣局を有しない。従って、基地局２は独立してグループを形成する。
【０２１２】
前述のアルゴリズムに基づき、第１ネットワーク装置は、Ｍ個の基地局を少なくとも１つのグループにグループ化し、次に、多数決ルールに従い、少なくとも１つのグループの中で、所定の閾値より多い又は等しい数の基地局を含むグループを同期グループとして決定し、又は、少なくとも１つのグループの各々に含まれる基地局の数が閾値より少ないとき、少なくとも１つのグループの中で、最大数の基地局を含むグループを同期グループとして決定してよい。ここで、同期グループ内の各基地局のクロック状態は、同期状態である。
【０２１３】
Ｍ個の基地局の中でクロック状態が同期状態である基地局を決定した後に、第１ネットワーク装置は、同期外れ条件に基づき、クロック状態が同期外れ状態である基地局を更に決定する。具体的に、第１ネットワーク装置が、同期外れ条件に基づき、クロック状態が同期外れ状態である基地局を決定する特定の方法については、５０４における関連する説明を参照する。詳細はここで再び記載されない。Ｍ個の基地局の中でクロック状態が同期外れ状態である基地局を決定した後に、第１ネットワーク装置は、非同期外れ状態である基地局の間に局間偏差が存在するか否かを更に決定してよい。具体的に、第１ネットワーク装置が基地局の検出結果に基づき局間偏差を検出する特定の方法については、ステップ５０４における関連する説明を参照する。詳細はここで再び記載されない。
【０２１４】
Ｍ個の基地局のクロック状態を決定した後に、第１ネットワーク装置は、同期外れ状態の基地局の同期外れの原因を調べ、更に調整を実行してよい。
【０２１５】
例えば、同期外れ状態である基地局の内部クロックシステムが故障していない場合、クロック源又は同期外れ状態である基地局へクロック信号を送信する伝送装置が故障しているか否かが決定されてよい。伝送装置は、基地局とクロック源との間でクロック信号伝送を実行するよう構成される、スイッチ又はルータのような装置であってよい。
【０２１６】
例えば、同じクロック源の全部の基地局が、クロック状態が同期外れ状態である基地局である場合、第１ネットワーク装置は、クロック源が故障していると決定する。
【０２１７】
１つのクロック源が複数の基地局へクロック信号を送信してよく、その結果、複数の基地局はそれぞれ、クロック信号に基づき内部クロックシステムの時間を調整する。１つのクロック源の全部の基地局が同期外れである場合、クロック源が故障しており、結果として不正確なクロック信号を配信している可能性が高い。
【０２１８】
例えば、１つのクロック源の１つの基地局のみ、つまり基地局２が存在し、第１ネットワーク装置が、基地局２のクロック状態は同期外れ状態であると決定した場合、第１ネットワーク装置は、クロック源が故障していると決定してよい。
【０２１９】
例えば、同じ伝送装置によりサービスされる全部の基地局が、クロック状態が同期外れ状態である基地局である場合、第１ネットワーク装置は、伝送装置が故障していると決定する。
【０２２０】
１つのクロック源は、複数の伝送装置に、クロック源のクロック信号を異なる基地局へ送信することを要求してよい。伝送装置によりサービスされる全部の基地局が同期外れであり、該伝送装置と同じクロック信号を転送する他の伝送装置によりサービスされる基地局が同期外れ状態ではないとき、該伝送装置が故障しており、その結果、不正なクロック信号を転送し、該伝送装置によりサービスされる全部の基地局が同期外れになっている場合を生じる可能性が高い。
【０２２１】
例えば、基地局１及び基地局２のクロック源は同じである。基地局１は、伝送装置１により配信されたクロック信号を受信し、一方で、基地局２は、伝送装置２により配信されたクロック信号を受信する。伝送装置２は、基地局２にのみ、クロック信号を配信する。基地局２のクロック状態が同期外れ状態であり、基地局１のクロック状態が同期状態である場合、それは、クロック源は正常であるが、クロック信号を基地局２へ配信する伝送装置２が故障していることを示す。
【０２２２】
同じ伝送装置によりサービスされる幾つかの基地局が全部、クロック状態が同期外れ状態である基地局である場合、第１ネットワーク装置は、幾つかの基地局が故障していること、又は幾つかの基地局に接続される伝送装置上のポートが故障していることを決定する。
【０２２３】
１つの伝送装置は、クロック源のクロック信号を、複数の異なる基地局へ配信してよい。伝送装置によりサービスされる幾つかの基地局のクロック状態が同期外れ状態であり、該伝送装置によりサービスされる他の基地局のクロック状態が同期状態であるとき、可能な原因は、幾つかの基地局が不正確なクロック信号を受信することである。例えば、幾つかの基地局に接続される伝送装置上のポートが故障しており、その結果、これらのポートから配信されるクロック信号が不正確であり、幾つかの基地局が同期外れになる場合を生じる。代替として、伝送装置は、正常なクロック信号を配信するが、幾つかの基地局は故障しておりクロック信号を正しく処理できない。結果として、幾つかの基地局が同期外れである場合を生じる。
【０２２４】
例えば、基地局１及び基地局２の両方が、伝送装置１により配信されたクロック信号を受信する。基地局２のクロック状態が同期外れ状態であり、基地局１のクロック状態が同期状態である場合、それは、基地局２に接続された伝送装置１上のポートが故障している可能性があるか、又は基地局２が故障している可能性があることを示す。
【０２２５】
任意的に、クロック源が故障していると決定した後に、第１ネットワーク装置は、関連する保守動作を更に実行してよい。例えば、予備クロック源が存在するとき、故障したクロック源は予備クロック源により置き換えられる。或いは、予備クロック源が存在しない場合、故障したクロック源の全部の基地局が無効にされる。
【０２２６】
以上は、第１ネットワーク装置が本願のソリューションの第１部分、つまり制御情報の配信を実行し、Ｍ個の基地局が本願のソリューションの第２部分、つまり無線インタフェース検出を実行し、及び第１ネットワーク装置が本願のソリューションの第３部分、つまりクロック状態分析を実行する例を、説明のために使用した。本願のソリューションは、代替として、別の装置により実行されてよい。
【０２２７】
例えば、第２ネットワーク装置が本願のソリューションの第１部分を実行し、Ｍ個の基地局が本願のソリューションの第２部分を実行し、及び第１ネットワーク装置が本願のソリューションの第３部分を実行する。
【０２２８】
例えば、図５に基づき、図１２に示すように、ステップ５０１は、以下のステップにより置き換えられてよい。
【０２２９】
ステップ５０１ａ。第２ネットワーク装置は、指示情報の１つのピースを、Ｍ個の基地局の各々へ送信する。
【０２３０】
代替として、第１ネットワーク装置が本願のソリューションの第１部分を実行し、Ｍ個の基地局が本願のソリューションの第２部分を実行し、及び第１ネットワーク装置が第２ネットワーク装置と協力して本願のソリューションの第３部分を実行する。
【０２３１】
例えば、図５に基づき、図１３に示すように、ステップ５０４は、以下のステップにより置き換えられてよい。
【０２３２】
ステップ５０４ａ。第１ネットワーク装置は、Ｍ個の基地局の受信した検出結果を、第２ネットワーク装置へ送信する。
【０２３３】
ステップ５０４ｂ。第２ネットワーク装置は、Ｍ個の基地局の検出結果に基づき、Ｍ個の基地局のクロック状態を決定する。
【０２３４】
代替として、Ｍ個の基地局のうちの１つが、本願のソリューションの第１部分及び第３部分を実行し、Ｍ個の基地局が、本願のソリューションの第２部分を実行する。
【０２３５】
例えば、基地局１が一例として使用される。図５に基づき、図１４に示すように、ステップ５０１は、以下のステップにより置き換えられてよい。
【０２３６】
ステップ５０１ｂ。基地局１は、指示情報の１つのピースを、Ｍ個の基地局の各々へ送信する。
【０２３７】
ステップ５０３は、以下のステップにより置き換えられてよい。
【０２３８】
ステップ５０３ａ。Ｍ個の基地局の中の基地局１以外の基地局は、検出結果を基地局１へ送信する。
【０２３９】
ステップ５０４は、以下のステップにより置き換えられてよい。
【０２４０】
ステップ５０４ｃ。基地局１は、Ｍ個の基地局の検出結果に基づき、Ｍ個の基地局のクロック状態を決定する。
【０２４１】
本願で提供される方法によると、ネットワーク全体に渡るＭ個の基地局のクロック状態が分析できる。更に、Ｍ個の基地局のクロック状態は、Ｍ個の基地局の間でクロック同期外れによる相互干渉が生じる前に、検出されてよく、トラブルシューティング、警告、及び事前調整を実行する前に、ネットワーク全体に渡るＭ個の基地局のクロック状態を識別し、それにより、基地局のサービスの正常な実行及びＵＥのユーザ経験を保証する。更に、本願で提供される方法によると、ネットワーク全体に渡るＭ個の基地局のクロック状態は、比較的短時間のうちに分析を通じて取得されてよく、その結果、干渉を受けた基地局のクロック状態を１つずつ個別に決定する必要がなく、それにより、基地局のクロック状態を監視する効率を向上する。
【０２４２】
以下は、本願の実施形態で提供される機器を記載する。図１５に示すように、機器１５００は、処理ユニット１５０１と通信ユニット１５０２とを含む。任意で、機器は、記憶ユニット１５０３を更に含む。処理ユニット１５０１、通信ユニット１５０２、及び記憶ユニット１５０３は、通信バス１５０４を用いて接続される。
【０２４３】
通信ユニット１５０２は、トランシーバ機能を有する機器であってよく、別のネットワーク装置、基地局、又は通信ネットワークと通信するよう構成される。
【０２４４】
記憶ユニット１５０３は、１つ以上のメモリを含んでよい。メモリは、１つ以上の装置又は回路内でプログラム又はデータを格納するよう構成されるコンポーネントであってよい。
【０２４５】
記憶ユニット１５０３は、独立に存在してよく、通信バス１５０４を用いて処理ユニット１５０１に接続される。記憶ユニット１５０３は、代替として、処理ユニット１５０１と一緒に統合されてよい。
【０２４６】
機器１５００は、基地局、ネットワーク装置、回路、ハードウェアコンポーネント、又はチップ内で使用されてよい。
【０２４７】
機器１５００は、本願の実施形態における基地局、例えば、基地局１、基地局２、基地局３、基地局４、．．．、又は基地局Ｍであってよい。図２に、基地局の概略図が示され得る。任意的に、機器１５００の通信ユニット１５０２は、アンテナ、トランシーバ、及び基地局のネットワークインタフェース、例えばアンテナ２０５、トランシーバ２０３、及び図２のネットワークインタフェース２０４を含んでよい。
【０２４８】
機器１５００は、本願の実施形態における基地局内のチップ、例えば基地局１２１内のチップであってよい。通信ユニット１５０２は、入力又は出力インタフェース、ピン、回路、等であってよい。任意的に、記憶ユニット１５０３は、基地局側の方法のコンピュータ実行可能命令を格納してよい。その結果、処理ユニット１５０１は、前述の実施形態における基地局により実行される方法を実行する。例えば、図１４に示す方法の手順を参照して、処理ユニット１５０１は、指示情報のＭ個のピースをＭ個の基地局へ配信するよう通信ユニット１５０２を制御するよう構成され、検出シーケンスを送信し、Ｎ個の近隣局が検出シーケンスを送信する第１時点で検出シーケンスを検出するよう通信ユニット１５０２を制御し、検出結果を送信するよう通信ユニット１５０２を制御し、Ｍ個の基地局の検出結果に基づき、Ｍ個の基地局のクロック状態を決定するよう更に構成される。特定の処理については、図１４及び図１５に示す実施形態における関連する内容の説明を参照する。例えば、図５に示す方法の手順を参照して、処理ユニット１５０１は、検出シーケンスを送信し及びＮ個の近隣局が検出シーケンスを送信する第１時点で検出シーケンスを検出するよう通信ユニット１５０２を制御するよう構成され、検出結果を送信するよう通信ユニット１５０２を制御するよう更に構成される。特定の処理については、図５に示す実施形態における関連する内容の説明を参照する。記憶ユニット１５０３は、レジスタ、キャッシュ、ＲＡＭ、等であってよい。記憶ユニット１５０３は、処理ユニット１５０１と統合されてよい。記憶ユニット１５０３は、ＲＯＭ、又は静的情報及び命令を格納できる別の種類の静的記憶装置であってよい。記憶ユニット１５０３は、処理ユニット１５０１と独立であってよい。任意的に、無線通信技術の発展に伴い、トランシーバ及びネットワークインタフェースが機器１５００に統合されてよい。例えば、通信ユニット１５０２は、トランシーバ２０３及びネットワークインタフェース２０４を統合する。
【０２４９】
機器１５００が本願の実施形態における基地局又は基地局内のチップであるとき、機器１５００は、前述の実施形態における基地局により実行される方法を実施してよい。例えば、処理ユニット１５０１は、通信ユニット１５０２を用いて指示情報を受信し、検出シーケンスを受信／送信し、検出結果を送信する。詳細については、図５のステップ５０１〜５０４における関連する内容を参照する。任意的に、処理ユニット１５０１は、通信ユニット１５０２を用いてＭ個の基地局へ指示情報のＭ個のピースを更に送信してよい。詳細については、図１４のステップ５０１bにおける関連する内容を参照する。任意的に、処理ユニット１５０１は、更に、通信ユニット１５０２を用いて、Ｍ個の基地局により送信された検出結果を受信し、Ｍ個の基地局のクロック状態を決定してよい。詳細については、図１４のステップ５０３及び５０４ｃにおける関連する内容を参照する。詳細はここで再び記載されない。
【０２５０】
機器１５００は、本願の実施形態におけるネットワーク装置、例えば第１ネットワーク装置又は第２ネットワーク装置であってよい。図３に、ネットワーク装置の概略図が示され得る。任意的に、機器１５００の通信ユニット１５０２は、ネットワーク装置のネットワークインタフェース、例えば図３のネットワークインタフェース３０３を含んでよい。
【０２５１】
機器１５００は、本願の実施形態におけるネットワーク装置内のチップ、例えば第１ネットワーク装置又は第２ネットワーク装置内のチップであってよい。通信ユニット１５０２は、入力又は出力インタフェース、ピン、回路、等であってよい。任意的に、記憶ユニット１５０３は、ネットワーク装置側の方法のコンピュータ実行可能命令を格納してよい。その結果、処理ユニット１５０１は、前述の実施形態におけるネットワーク装置側の方法を実行する。例えば、処理ユニット１５０１は、前述の実施形態における第１部分、つまり制御情報の配信、及び第３部分、つまりクロック状態分析を実行する。詳細については、図５のステップ５０１、５０３、及び５０４における関連する内容を参照する。詳細はここで再び記載されない。
【０２５２】
記憶ユニット１５０３は、レジスタ、キャッシュ、ＲＡＭ、等であってよい。記憶ユニット１５０３は、処理ユニット１５０１と統合されてよい。記憶ユニット１５０３は、ＲＯＭ、又は静的情報及び命令を格納できる別の種類の静的記憶装置であってよい。記憶ユニット１５０３は、処理ユニット１５０１と独立であってよい。
【０２５３】
機器１５００が、本願の本実施形態におけるネットワーク装置又はネットワーク装置内のチップであるとき、前述の実施形態におけるネットワーク装置により実行される方法が実施されてよい。処理ユニット１５０１は、通信ユニット１５０２を用いてＭ個の基地局へ指示情報のＭ個のピースを送信してよい。詳細については、図５のステップ５０１における関連する内容を参照する。任意的に、処理ユニット１５０１は、更に、通信ユニット１５０２を用いてＭ個の基地局の検出結果を受信してよい。詳細については、図５のステップ５０３における関連する内容を参照する。任意的に、処理ユニット１５０１は、Ｍ個の基地局の検出結果に基づき、Ｍ個の基地局のクロック状態を更に決定してよい。詳細については、図５のステップ５０４における関連する内容を参照する。機器１５００は、ネットワーク装置側で実行される別の方法、例えば同期外れ原因チェック及び保守を更に実施してよい。
【０２５４】
本願の実施形態は、コンピュータ可読記憶媒体を更に提供する。前述の実施形態で説明した方法は、ソフトウェア、ハードウェア、ファームウェア、又はそれらの任意の組み合わせを用いて全部又は部分的に実装されてよい。方法がソフトウェアを用いて実施される場合、機能は、１つ以上の命令又はコードとしてコンピュータ可読媒体に格納され又は送信されてよい。コンピュータ可読媒体は、コンピュータ記憶媒体及び通信媒体を含んでよく、コンピュータプログラムをある場所から別の場所へと転送できる任意の媒体を更に含んでよい。記憶媒体は、コンピュータによりアクセス可能な任意の利用可能な媒体であってよい。
【０２５５】
任意的設計では、コンピュータ可読媒体は、ＲＡＭ、ＲＯＭ、ＥＥＰＲＯＭ、又はＣＤ−ＲＯＭ、別の光ディスク記憶、磁気ディスク記憶、又は別の磁気記憶装置、又は所要のプログラムコードを命令又はデータ構造の形式で運ぶ用構成できコンピュータによりアクセスされ得る任意の他の媒体を含み得る。更に、任意の接続は、コンピュータ可読媒体として適切に参照される。例えば、同軸ケーブル、光ファイバ、より対線、デジタル加入者線（digital  subscriber  line  (DSL)）、又は無線技術（赤外線、無線、マイクロ波のような）が、ウェブサイト、サーバ、又は別のリモートソースからソフトウェアを送信するために使用される場合、同軸ケーブル、光ファイバケーブル、より対線、ＤＳＬ、又は赤外線、無線、及びマイクロ波のような無線技術は、媒体の定義に含まれる。本明細書で使用される磁気ディスク（disk）及び光ディスク（discs）は、コンパクトディスク（ＣＤ）、レーザディスク、光ディスク、デジタルバーサタイルディスク（ＤＶＤ）、フロッピーディスク、及びＢｌｕ−ｒａｙディスクを含み、磁気ディスクは、通常、磁気的にデータを再生し、光ディスクはレーザ光を用いて光学的にデータを再生する。前述の結合も、コンピュータ可読媒体の範囲に含まれるべきである。
【０２５６】
本願の一実施形態は、コンピュータプログラムプロダクトを更に提供する。前述の実施形態で説明した方法は、ソフトウェア、ハードウェア、ファームウェア、又はそれらの任意の組み合わせを用いて全部又は部分的に実装されてよい。方法がソフトウェアを用いて実施されるとき、方法は、コンピュータプログラムプロダクトの形式で全部又は部分的に実施されてよい。コンピュータプログラムプロダクトは、１つ以上のコンピュータ命令を含む。前述のコンピュータプログラム命令が、コンピュータ上にロードされ実行されると、前述の方法の実施形態において説明した手順又は機能が全部又は部分的に生成される。コンピュータは、汎用コンピュータ、専用コンピュータ、コンピュータネットワーク、ネットワーク装置、ユーザ機器、又は他のプログラマブル機器であってよい。
【０２５７】
本発明の目的、技術的ソリューション、及び有利な効果は、前述の特定の実施形態において更に詳細に説明された。理解されるべきことに、前述の説明は、単に本発明の特定の実施形態であり、本発明の保護範囲を限定することを意図しない。本発明の技術的ソリューションに基づき行われる任意の変形、均等な置換又は改良は、本発明の保護範囲の中に包含されるべきである。
【図１】
2021532688.tif 000005
【図２】
2021532688.tif 000006
【図３】
2021532688.tif 000007
【図４】
2021532688.tif 000008
【図５】
2021532688.tif 000009
【図６】
2021532688.tif 000010
【図７】
2021532688.tif 000011
【図８】
2021532688.tif 000012
【図９】
2021532688.tif 000013
【図１０】
2021532688.tif 000014
【図１１】
2021532688.tif 000015
【図１２】
2021532688.tif 000016
【図１３】
2021532688.tif 000017
【図１４】
2021532688.tif 000018
【図１５】
2021532688.tif 000019
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
クロック状態検出方法であって、前記方法は、
Ｍ個の基地局の検出結果を受信するステップであって、前記Ｍ個の基地局の各々の前記検出結果は、前記基地局が前記基地局のＮ個の近隣局の各々により送信された検出シーケンスを受信したか否かを示すために使用され、前記Ｎ個の近隣局は前記Ｍ個の基地局に属し、Ｍ及びＮは両方とも１以上の整数であり、ＮはＭより小さい、ステップと、
前記Ｍ個の基地局の前記検出結果に基づき、前記Ｍ個の基地局のクロック状態を決定するステップと、
を含む方法。
【請求項２】
前記方法は、
前記Ｍ個の基地局の各々に指示情報の１ピースを送信するステップであって、前記指示情報は、前記基地局に、前記基地局の前記Ｎ個の近隣局が前記検出シーケンスを送信するＮ個の第１時点を示すために使用され、前記Ｎ個の近隣局の各々について、前記基地局が、前記近隣局が前記検出シーケンスを送信する前記第１時点で前記検出シーケンスを検出すると、前記基地局は前記近隣局から前記検出シーケンスを受信する、ステップ、を更に含む請求項１に記載の方法。
【請求項３】
前記指示情報は、前記基地局が検出シーケンスを送信する第２時点を示すために更に使用される、請求項２に記載の方法。
【請求項４】
前記Ｍ個の基地局の中で同じ近隣局を有しない少なくとも２つの基地局の第２時点は同じである、請求項３に記載の方法。
【請求項５】
前記Ｍ個の基地局の各々の前記検出結果は、前記基地局により、前記基地局の前記Ｎ個の近隣局の各々により送信された前記検出シーケンスを受信する際の遅延を示すために更に使用される、請求項１〜４のいずれか一項に記載の方法。
【請求項６】
前記Ｍ個の基地局の各々のアップリンク送信は、前記基地局の前記Ｎ個の近隣局のダウンリンク送信により干渉されない、請求項１〜５のいずれか一項に記載の方法。
【請求項７】
前記Ｍ個の基地局の前記検出結果に基づき、前記Ｍ個の基地局のクロック状態を決定する前記ステップは、
前記Ｍ個の基地局の前記検出結果に基づき、前記Ｍ個の基地局を少なくとも１つのグループにグループ化するステップであって、前記少なくとも１つのグループの各々について、前記グループが少なくとも２つの基地局を含む場合、前記グループの中の各基地局は、前記グループの中の少なくとも１つの他の基地局により送信された検出シーケンスを受信するか、又は前記グループの中の各基地局により送信された検出シーケンスは、前記グループの中の少なくとも１つの他の基地局により受信され、前記グループが１つの基地局を含む場合、前記１つの基地局は、前記１つの基地局の各近隣局により送信された検出シーケンスを受信しないか、又は前記１つの基地局により送信された検出シーケンスは前記１つの基地局のいずれの近隣局によっても受信されない、ステップと、
前記少なくとも１つのグループの中で、所定の閾値より多い又は等しい数の基地局を含むグループを、同期グループとして決定するか、又は前記少なくとも１つのグループの中の全部のグループに含まれる基地局の数が前記閾値より少ないとき、前記少なくとも１つのグループの中で、最大数の基地局を含むグループを、前記同期グループとして決定するステップであって、前記同期グループの中の各基地局のクロック状態は同期状態である、ステップと、
を含む、請求項１〜６のいずれか一項に記載の方法。
【請求項８】
前記Ｍ個の基地局の前記検出結果に基づき、前記Ｍ個の基地局のクロック状態を決定する前記ステップは、
同期外れ条件に基づき、前記同期グループ以外の同期外れグループが、前記少なくとも１つのグループの中に存在するか否かを決定するステップであって、前記同期外れグループの中の各基地局のクロック状態は、同期外れ状態である、ステップを更に含む、請求項７に記載の方法。
【請求項９】
同期外れ条件に基づき、前記同期グループ以外の同期外れグループが前記少なくとも１つのグループの中に存在するか否かを決定する前記ステップは、
前記少なくとも１つのグループの中の前記同期グループ以外の任意のグループについて、前記グループの中の１つの基地局が前記同期外れ条件を満たす場合、前記グループは同期外れグループであり、前記同期外れ条件は、以下の条件：
１）前記１つの基地局のクロックシステム調整値が、所定の調整閾値より大きい、
２）前記１つの基地局がクロックアラームを発する、又は、
３）前記１つの基地局の近隣局への同期外れ干渉が、所定の干渉閾値より大きく、前記１つの基地局が休止した後に、前記１つの基地局の前記近隣局への前記同期外れ干渉が消失するか、又は、前記１つの基地局への同期外れ干渉が、所定の干渉閾値より大きく、前記１つの基地局の近隣局が休止した後に、前記１つの基地局への前記同期外れ干渉が消失する、
のうちの１つ以上を含む、ステップを含む、請求項８に記載の方法。
【請求項１０】
前記グループが少なくとも２個の基地局を含む場合、前記同期外れ条件は、
４）前記少なくとも２個の基地局が、同じクロック装置からクロック信号を取得する、
を更に含む、請求項９に記載の方法。
【請求項１１】
前記方法は、
同じクロック源の全部の基地局が、クロック状態が前記同期外れ状態である基地局である場合、前記クロック源が故障していると決定するステップ、
同じ伝送装置によりサービスされる全部の基地局が、クロック状態が前記同期外れ状態である基地局である場合、前記伝送装置が故障していると決定するステップ、又は、
同じ伝送装置によりサービスされる幾つかの基地局が全部、クロック状態が前記同期外れ状態である基地局である場合、前記幾つかの基地局が故障している、若しくは前記幾つかの基地局に接続された前記伝送装置のポートが故障していると決定するステップ、
を更に含む請求項７〜１０のいずれか一項に記載の方法。
【請求項１２】
クロック状態検出方法であって、前記方法は、
基地局により、指示情報を受信するステップであって、前記指示情報は、前記基地局のＮ個の近隣局が検出シーケンスを順に送信するＮ個の第１時点を示すために使用され、Ｎは１以上の整数である、ステップと、
前記基地局により、前記Ｎ個の第１時点で前記検出シーケンスを検出するステップであって、前記Ｎ個の近隣局の各々について、前記基地局が、前記近隣局が前記検出シーケンスを送信した前記第１時点で前記検出シーケンスを検出すると、前記基地局は、前記近隣局からの前記検出シーケンスが受信されたと決定する、ステップと、
前記基地局により、検出結果を送信するステップであって、前記検出結果は、前記基地局が、前記基地局のクロック状態を決定するために、前記Ｎ個の近隣局の各々により送信された前記検出シーケンスを受信したか否かを示すために使用される、ステップと、
を含む方法。
【請求項１３】
前記第１時点は、第１特別サブフレームである、請求項１２に記載の方法。
【請求項１４】
前記指示情報は、前記基地局が検出シーケンスを送信する第２時点を示すために更に使用され、
前記基地局は、前記第２時点で前記検出シーケンスを送信する、請求項１２又は１３に記載の方法。
【請求項１５】
機器であって、メモリとプロセッサとを含み、前記メモリは、コンピュータプログラムを格納するよう構成され、前記プロセッサは、前記メモリから前記コンピュータプログラムを呼び出し、前記コンピュータプログラムを実行して、請求項１〜１４のいずれか一項に記載の方法を実行するよう構成される、機器。
【請求項１６】
プログラムを格納したコンピュータ記憶媒体であって、前記プログラムは、請求項１〜１４のいずれか一項に記載の方法を実施するために構成される、コンピュータ記憶媒体。
【手続補正２】
【補正対象書類名】明細書
【補正対象項目名】０００１
【補正方法】削除
【補正の内容】
【国際調査報告】
2021532688.tif 000020
2021532688.tif 000021
2021532688.tif 000022
2021532688.tif 000023
2021532688.tif 000024